(57)【要約】  本出願は、測定パイロット信号を伝送するための方法および機器を開示する。本方法は、第1の機器がシステム帯域幅に含まれる複数のサブバンドから、測定パイロット信号を伝送するために使用される第1のサブバンドを決定するステップであって、1つのサブバンドが少なくとも1つの物理リソースブロックを含む、ステップと、第1の機器が、第1のサブバンドの識別子情報を第2の機器に送信するステップと、第1の機器が、測定パイロット信号を第1のサブバンドに対応する少なくとも1つの物理リソースブロックに埋め込み、測定パイロット信号を第2の機器に送信するステップと、を含む。本出願の方法および機器では、測定パイロット信号を全システム帯域幅の一部の物理リソースブロックで伝送することができる。
2020503774.tif 000002
【特許請求の範囲】
【請求項１】
測定パイロット信号を伝送するための方法であって、
第1の機器がシステム帯域幅に含まれる複数のサブバンドから、測定パイロット信号を伝送するために使用される第1のサブバンドを決定するステップであって、1つのサブバンドが少なくとも1つの物理リソースブロックを含む、前記ステップと、
前記第1の機器が、前記第1のサブバンドの識別子情報を第2の機器に送信するステップと、
前記第1の機器が、前記測定パイロット信号を前記第1のサブバンドに対応する少なくとも1つの物理リソースブロックに埋め込み、前記測定パイロット信号を前記第2の機器に送信するステップと、
を含む、方法。
【請求項２】
前記システム帯域幅がN個のサブバンドを含み、前記第1のサブバンドの前記識別子情報はNビットのデータを含み、前記Nビットのデータの配列順序が前記N個のサブバンドの配列順序に対応しており、
前記第1のサブバンドに対応するデータビットが第1の識別子に設定され、前記第1のサブバンドを除く前記N個のサブバンド内の各サブバンドに対応するデータビットが第2の識別子に設定され、前記第1の識別子が前記測定パイロット信号を伝送するために使用されるサブバンドを表し、前記第2の識別子が前記測定パイロット信号を伝送するために使用されないサブバンドを表し、Nが自然数であり、または
前記第1の機器が、前記第1のサブバンドの識別子情報を第2の機器に送信する前記ステップの前に、前記方法が、前記第1の機器が、前記システム帯域幅に含まれる前記複数のサブバンドを複数のサブバンドセットに分割するステップであって、1つのサブバンドセットが少なくとも1つのサブバンドを含む、前記ステップ、をさらに含み、
前記第1のサブバンドの前記識別子情報が、前記第1のサブバンドが属するサブバンドセットの識別子と前記サブバンドセット内の前記第1のサブバンドのサブ識別子とを含み、または
前記第1の機器が複数の連続したサブバンドを使用して前記測定パイロット信号を送信する場合、前記第1のサブバンドの前記識別子情報が、前記複数の連続したサブバンド内の開始サブバンドの識別子と前記連続したサブバンドの数とに基づいて生成され、または
前記システム帯域幅がN個のサブバンドを含み、前記第1のサブバンドが前記N個のサブバンド内のM番目のサブバンドであり、前記第1のサブバンドの前記識別子情報がMに対応する2進数である、請求項1に記載の方法。
【請求項３】
前記第1の機器が基地局であり、前記第2の機器がユーザ機器であり、前記測定パイロット信号が下り測定パイロット信号であり、または
前記第1の機器がユーザ機器であり、前記第2の機器が基地局であり、前記測定パイロット信号が上り測定パイロット信号である、請求項1または2に記載の方法。
【請求項４】
測定パイロット信号を伝送するための方法であって、
第2の機器が、第1の機器によって送信された第1のサブバンドの識別子情報を受信するステップであって、前記第1のサブバンドが複数の物理リソースブロックを含み、各物理リソースブロックが測定パイロット信号を伝送するために使用される、前記ステップと、
前記第2の機器が前記第1のサブバンドの前記識別子情報に基づいて、前記測定パイロット信号を伝送するために使用される少なくとも1つの物理リソースブロックを決定するステップと、
前記第2の機器が前記決定された少なくとも1つの物理リソースブロックで、前記第1の機器によって送信された測定パイロット信号を受信するステップと、
を含む、方法。
【請求項５】
前記システム帯域幅がN個のサブバンドを含み、前記第1のサブバンドの前記識別子情報はNビットのデータを含み、前記Nビットのデータの配列順序が前記N個のサブバンドの配列順序に対応しており、
前記第1のサブバンドに対応するデータビットが第1の識別子に設定され、前記第1のサブバンドを除く前記N個のサブバンド内の各サブバンドに対応するデータビットが第2の識別子に設定され、前記第1の識別子が前記測定パイロット信号を伝送するために使用されるサブバンドを表し、前記第2の識別子が前記測定パイロット信号を伝送するために使用されないサブバンドを表し、Nが自然数であり、または
前記第1のサブバンドの前記識別子情報が、前記第1のサブバンドが属するサブバンドセットの識別子と前記サブバンドセット内の前記第1のサブバンドのサブ識別子とを含み、前記サブバンドセットが少なくとも前記第1のサブバンドを含み、または
前記測定パイロット信号が複数の連続したサブバンドで伝送される場合、前記第1のサブバンドの前記識別子情報が、前記複数の連続したサブバンド内の開始サブバンドの識別子と前記連続したサブバンドの数とに基づいて生成され、または
前記システム帯域幅がN個のサブバンドを含み、前記第1のサブバンドが前記N個のサブバンド内のM番目のサブバンドであり、前記第1のサブバンドの前記識別子情報がMに対応する2進数である、請求項4に記載の方法。
【請求項６】
前記第1の機器が基地局であり、前記第2の機器がユーザ機器であり、前記測定パイロット信号が下り測定パイロット信号であり、または
前記第1の機器がユーザ機器であり、前記第2の機器が基地局であり、前記測定パイロット信号が上り測定パイロット信号である、請求項4または5に記載の方法。
【請求項７】
測定パイロット信号を伝送するための方法であって、
第1の機器がシステム帯域幅に含まれる複数のサブバンドから、測定パイロット信号を伝送するために使用される第1のサブバンド領域を決定するステップであって、1つのサブバンドが少なくとも1つの物理リソースブロックを含み、前記第1のサブバンド領域が少なくとも1つのサブバンドを含む、前記ステップと、
前記第1の機器が、前記第1のサブバンド領域の識別子情報を第2の機器に送信するステップと、
前記第1の機器が、前記測定パイロット信号を前記第1のサブバンド領域に対応する少なくとも1つの物理リソースブロックに埋め込み、前記測定パイロット信号を前記第2の機器に送信するステップと、
を含む、方法。
【請求項８】
前記第1の機器が、前記測定パイロット信号を前記第1のサブバンド領域に対応する少なくとも1つの物理リソースブロックに埋め込み、前記測定パイロット信号を前記第2の機器に送信する前記ステップが、
前記第1の機器が事前設定規則に従って、前記測定パイロット信号を前記第1のサブバンド領域に対応する前記少なくとも1つの物理リソースブロックに埋め込み、前記測定パイロット信号を前記第2の機器に送信するステップを含む、請求項7に記載の方法。
【請求項９】
前記第1の機器が、前記測定パイロット信号を前記第1のサブバンド領域に対応する少なくとも1つの物理リソースブロックに埋め込み、前記測定パイロット信号を前記第2の機器に送信する前記ステップが、
前記第1の機器が前記第1のサブバンド領域から、前記測定パイロット信号を伝送するために使用される第2のサブバンドを決定するステップと、
前記第1の機器が、前記第1のサブバンド領域内の前記第2のサブバンドのサブ識別子を前記第2の機器に送信するステップと、
前記第1の機器が、前記測定パイロット信号を前記第2のサブバンドに埋め込み、前記測定パイロット信号が埋め込まれた前記第2のサブバンドを前記第2の機器に送信するステップと、
を含む、請求項7に記載の方法。
【請求項１０】
前記システム帯域幅がX個のサブバンド領域を含み、前記第1のサブバンド領域の前記識別子情報がXビットのデータを含み、前記Xビットのデータの配列順序が前記X個のサブバンド領域の配列順序に対応しており、
前記第1のサブバンド領域に対応するデータビットが第1の識別子に設定され、前記第1のサブバンド領域を除く前記X個のサブバンド内の各サブバンド領域に対応するデータビットが第2の識別子に設定され、前記第1の識別子が前記測定パイロット信号を伝送するために使用されるサブバンド領域を表し、前記第2の識別子が前記測定パイロット信号を伝送するために使用されないサブバンド領域を表し、Xが自然数であり、または
前記第1の機器が、前記第1のサブバンド領域の識別子情報を第2の機器に送信する前記ステップの前に、前記方法が、前記第1の機器が、前記システム帯域幅に含まれる前記複数のサブバンド領域を複数のサブバンド領域セットに分割するステップであって、1つのサブバンド領域セットが少なくとも1つのサブバンド領域を含む、前記ステップ、をさらに含み、
前記第1のサブバンド領域の前記識別子情報が、前記第1のサブバンド領域が属するサブバンド領域セットの識別子と前記サブバンド領域セット内の前記第1のサブバンド領域のサブ識別子とを含み、または
前記第1の機器が複数の連続したサブバンド領域を使用して前記測定パイロット信号を送信する場合、前記第1のサブバンド領域の前記識別子情報が、前記複数の連続したサブバンド領域内の開始サブバンド領域の識別子と前記連続したサブバンド領域の数とに基づいて生成され、または
前記システム帯域幅がX個のサブバンド領域を含み、前記第1のサブバンド領域が前記X個のサブバンド領域内のY番目のサブバンド領域であり、前記第1のサブバンド領域の前記識別子情報がYに対応する2進数であり、Yが自然数である、請求項7から9のいずれか一項に記載の方法。
【請求項１１】
前記第1のサブバンド領域がW個のサブバンドを含み、前記第1のサブバンド領域内の前記第2のサブバンドの前記サブ識別子情報がWビットのデータを含み、前記Wビットのデータの配列順序が前記W個のサブバンドの配列順序に対応しており、
前記第2のサブバンドに対応するデータビットが第1の識別子に設定され、前記第2のサブバンドを除く前記W個のサブバンド内の各サブバンドに対応するデータビットが第2の識別子に設定され、前記第1の識別子が前記測定パイロット信号を伝送するために使用されるサブバンドを表し、前記第2の識別子が前記測定パイロット信号を伝送するために使用されないサブバンドを表し、Wが自然数であり、または
前記第1の機器が複数の連続した第2のサブバンドを使用して前記測定パイロット信号を送信する場合、前記第1のサブバンド領域内の前記第2のサブバンドの前記サブ識別子情報が、前記複数の連続したサブバンド領域内の開始サブバンドの識別子と前記連続したサブバンド領域の数とに基づいて生成され、または
前記第1のサブバンド領域がW個のサブバンドを含み、前記第2のサブバンドが前記W個のサブバンド内のP番目のサブバンドであり、前記第1のサブバンド領域内の前記第2のサブバンドの前記サブ識別子情報がPに対応する2進数であり、Pが自然数であり、または
前記第1の機器が、前記第1のサブバンド領域内の前記第2のサブバンドのサブ識別子を前記第2の機器に送信する前記ステップの前に、前記方法が、前記第1の機器が、前記第1のサブバンド領域に含まれる複数のサブバンドを複数のサブバンドセットに分割するステップであって、1つのサブバンドセットが少なくとも1つのサブバンドを含む、前記ステップ、をさらに含み、
前記第1のサブバンド領域内の前記第2のサブバンドの前記サブ識別子情報が、前記第2のサブバンドが属するサブバンドセットの識別子と前記サブバンドセット内の前記第2のサブバンドのサブ識別子とを含む、請求項9に記載の方法。
【請求項１２】
前記第1の機器が基地局であり、前記第2の機器がユーザ機器であり、前記測定パイロット信号が下り測定パイロット信号であり、または
前記第1の機器がユーザ機器であり、前記第2の機器が基地局であり、前記測定パイロット信号が上り測定パイロット信号である、請求項7から11のいずれか一項に記載の方法。
【請求項１３】
測定パイロット信号を伝送するための方法であって、
第2の機器が、第1の機器によって送信された第1のサブバンド領域の識別子情報を受信するステップであって、前記第1のサブバンド領域が少なくとも1つのサブバンドを含み、1つのサブバンドが少なくとも1つの物理リソースブロックを含む、前記ステップと、
前記第2の機器が前記第1のサブバンド領域の前記識別子情報に基づいて、前記測定パイロット信号を伝送するために使用される物理リソースブロックを決定するステップと、
前記第2の機器が前記決定された物理リソースブロックで、前記第1の機器によって送信された測定パイロット信号を受信するステップと、
を含む、方法。
【請求項１４】
前記第2の機器が前記第1のサブバンド領域の前記識別子情報に基づいて、前記測定パイロット信号を伝送するために使用される物理リソースブロックを決定する前記ステップが、
前記第2の機器が前記第1のサブバンド領域の前記識別子情報に基づき、事前設定規則に従って、前記測定パイロット信号を伝送するために使用される前記物理リソースブロックを決定するステップを含む、請求項13に記載の方法。
【請求項１５】
前記第2の機器が前記第1のサブバンド領域の前記識別子情報に基づいて、前記測定パイロット信号を伝送するために使用される物理リソースブロックを決定する前記ステップが、
前記第2の機器が、前記第1のサブバンド領域内の第2のサブバンドの、前記第1の機器によって送信されたサブ識別子情報を受信するステップであって、前記第2のサブバンドが前記測定パイロット信号を伝送するために使用される、前記ステップと、
前記第2の機器が前記第1のサブバンド領域の前記識別子と前記第2のサブバンドの前記サブ識別子とに基づいて、前記測定パイロット信号を伝送するために使用される前記物理リソースブロックを決定するステップと、を含む、請求項13に記載の方法。
【請求項１６】
前記システム帯域幅がX個のサブバンド領域を含み、前記第1のサブバンド領域の前記識別子情報がXビットのデータを含み、前記Xビットのデータの配列順序が前記X個のサブバンド領域の配列順序に対応しており、
前記第1のサブバンド領域に対応するデータビットが第1の識別子に設定され、前記第1のサブバンド領域を除く前記X個のサブバンド内の各サブバンド領域に対応するデータビットが第2の識別子に設定され、前記第1の識別子が前記測定パイロット信号を伝送するために使用されるサブバンド領域を表し、前記第2の識別子が前記測定パイロット信号を伝送するために使用されないサブバンド領域を表し、Xが自然数であり、または
前記第1の機器が前記第1のサブバンド領域の識別子情報を第2の機器に送信する前に、前記方法が、前記第1の機器が、前記システム帯域幅に含まれる前記複数のサブバンド領域を複数のサブバンド領域セットに分割するステップであって、1つのサブバンド領域セットが少なくとも1つのサブバンド領域を含む、前記ステップ、をさらに含み、
前記第1のサブバンド領域の前記識別子情報が、前記第1のサブバンド領域が属するサブバンド領域セットの識別子と前記サブバンド領域セット内の前記第1のサブバンド領域のサブ識別子とを含み、または
前記第1の機器が複数の連続したサブバンド領域を使用して前記測定パイロット信号を送信する場合、前記第1のサブバンド領域の前記識別子情報が、前記複数の連続したサブバンド領域内の開始サブバンド領域の識別子と前記連続したサブバンド領域の数とに基づいて生成され、または
前記システム帯域幅がX個のサブバンド領域を含み、前記第1のサブバンド領域が前記X個のサブバンド領域内のY番目のサブバンド領域であり、前記第1のサブバンド領域の前記識別子情報がYに対応する2進数であり、Yが自然数である、請求項13から15のいずれか一項に記載の方法。
【請求項１７】
前記第1のサブバンド領域がW個のサブバンドを含み、前記第1のサブバンド領域内の前記第2のサブバンドの前記サブ識別子情報がWビットのデータを含み、前記Wビットのデータの配列順序が前記W個のサブバンドの配列順序に対応しており、
前記第2のサブバンドに対応するデータビットが第1の識別子に設定され、前記第2のサブバンドを除く前記W個のサブバンド内の各サブバンドに対応するデータビットが第2の識別子に設定され、前記第1の識別子が前記測定パイロット信号を伝送するために使用されるサブバンドを表し、前記第2の識別子が前記測定パイロット信号を伝送するために使用されないサブバンドを表し、Wが自然数であり、または
前記第1の機器が複数の連続した第2のサブバンドを使用して前記測定パイロット信号を送信する場合、前記第1のサブバンド領域内の前記第2のサブバンドの前記サブ識別子情報が、前記複数の連続したサブバンド領域内の開始サブバンドの識別子と前記連続したサブバンド領域の数とに基づいて生成され、または
前記第1のサブバンド領域がW個のサブバンドを含み、前記第2のサブバンドが前記W個のサブバンド内のP番目のサブバンドであり、前記第1のサブバンド領域内の前記第2のサブバンドの前記サブ識別子情報がPに対応する2進数であり、Pが自然数であり、または
前記第1の機器が前記第1のサブバンド領域内の前記第2のサブバンドの前記サブ識別子を前記第2の機器に送信する前に、前記方法が、前記第1の機器が、前記第1のサブバンド領域に含まれる複数のサブバンドを複数のサブバンドセットに分割するステップであって、1つのサブバンドセットが少なくとも1つのサブバンドを含む、前記ステップ、をさらに含み、
前記第1のサブバンド領域内の前記第2のサブバンドの前記サブ識別子情報が、前記第2のサブバンドが属するサブバンドセットの識別子と前記サブバンドセット内の前記第2のサブバンドのサブ識別子とを含む、請求項15に記載の方法。
【請求項１８】
前記第1の機器が基地局であり、前記第2の機器がユーザ機器であり、前記測定パイロット信号が下り測定パイロット信号であり、または
前記第1の機器がユーザ機器であり、前記第2の機器が基地局であり、前記測定パイロット信号が上り測定パイロット信号である、請求項13から17のいずれか一項に記載の方法。
【請求項１９】
測定パイロット信号を伝送するための機器であって、
全システム帯域幅に含まれる複数のサブバンドから、測定パイロット信号を伝送するために使用される第1のサブバンドを決定し、前記測定パイロット信号を前記第1のサブバンドに対応する少なくとも1つの物理リソースブロックに埋め込むように構成された第1のプロセッサであって、1つのサブバンドが少なくとも1つの物理リソースブロックを含む、第1のプロセッサと、
前記第1のサブバンドの識別子情報を第2の機器に送信し、前記測定パイロット信号を前記第2の機器に送信するように構成された第1の送受信機と、
を含む、機器。
【請求項２０】
前記システム帯域幅がN個のサブバンドを含み、前記第1のサブバンドの前記識別子情報はNビットのデータを含み、前記Nビットのデータの配列順序が前記N個のサブバンドの配列順序に対応しており、
前記第1のサブバンドに対応するデータビットが第1の識別子に設定され、前記第1のサブバンドを除く前記N個のサブバンド内の各サブバンドに対応するデータビットが第2の識別子に設定され、前記第1の識別子が前記測定パイロット信号を伝送するために使用されるサブバンドを表し、前記第2の識別子が前記測定パイロット信号を伝送するために使用されないサブバンドを表し、Nが自然数であり、または
前記システム帯域幅に含まれる前記複数のサブバンドが事前に複数のサブバンドセットに分類され、1つのサブバンドセットが少なくとも1つのサブバンドを含み、前記第1のサブバンドの前記識別子情報が、前記第1のサブバンドが属するサブバンドセットの識別子と前記サブバンドセット内の前記第1のサブバンドのサブ識別子とを含み、または
前記測定パイロット信号が複数の連続したサブバンドを使用して伝送される場合、前記第1のサブバンドの前記識別子情報が、前記複数の連続したサブバンド内の開始サブバンドの識別子と前記連続したサブバンドの数とに基づいて生成され、または
前記システム帯域幅がN個のサブバンドを含み、前記第1のサブバンドが前記N個のサブバンド内のM番目のサブバンドであり、前記第1のサブバンドの前記識別子情報がMに対応する2進数である、請求項19に記載の機器。
【請求項２１】
前記測定パイロット信号が下り測定パイロット信号または上り測定パイロット信号である、請求項19または20に記載の機器。
【請求項２２】
測定パイロット信号を伝送するための機器であって、
第1の機器によって送信された第1のサブバンドの識別子情報を受信し、決定された物理リソースブロックで前記測定パイロット信号を受信するように構成された第2の送受信機であって、前記第1のサブバンドが複数の物理リソースブロックを含み、各物理リソースブロックが前記測定パイロット信号を伝送するために使用される、第2の送受信機と、
前記第1のサブバンドの前記識別子情報に基づいて、前記測定パイロット信号を伝送するために使用される少なくとも1つの物理リソースブロックを決定するように構成された第2のプロセッサと、
を含む、機器。
【請求項２３】
前記システム帯域幅がN個のサブバンドを含み、前記第1のサブバンドの前記識別子情報はNビットのデータを含み、前記Nビットのデータの配列順序が前記N個のサブバンドの配列順序に対応しており、
前記第1のサブバンドに対応するデータビットが第1の識別子に設定され、前記第1のサブバンドを除く前記N個のサブバンド内の各サブバンドに対応するデータビットが第2の識別子に設定され、前記第1の識別子が前記測定パイロット信号を伝送するために使用されるサブバンドを表し、前記第2の識別子が前記測定パイロット信号を伝送するために使用されないサブバンドを表し、Nが自然数であり、または
前記第1のサブバンドの前記識別子情報が、前記第1のサブバンドが属するサブバンドセットの識別子と前記サブバンドセット内の前記第1のサブバンドのサブ識別子とを含み、前記サブバンドセットが少なくとも前記第1のサブバンドを含み、または
前記測定パイロット信号が複数の連続したサブバンドで伝送される場合、前記第1のサブバンドの前記識別子情報が、前記複数の連続したサブバンド内の開始サブバンドの識別子と前記連続したサブバンドの数とに基づいて生成され、または
前記システム帯域幅がN個のサブバンドを含み、前記第1のサブバンドが前記N個のサブバンド内のM番目のサブバンドであり、前記第1のサブバンドの前記識別子情報がMに対応する2進数である、請求項22に記載の機器。
【請求項２４】
前記測定パイロット信号が下り測定パイロット信号または上り測定パイロット信号である、請求項22または23に記載の機器。
【請求項２５】
測定パイロット信号を伝送するための機器であって、
システム帯域幅に含まれる複数のサブバンドから、測定パイロット信号を伝送するために使用される第1のサブバンド領域を決定し、前記測定パイロット信号を前記第1のサブバンド領域に対応する少なくとも1つの物理リソースブロックに埋め込むように構成された第3のプロセッサであって、1つのサブバンドが少なくとも1つの物理リソースブロックを含み、前記第1のサブバンド領域が少なくとも1つのサブバンドを含む、第3のプロセッサと、
前記第1のサブバンド領域の識別子情報および前記測定パイロット信号を第2の機器に送信するように構成された第3の送受信機と、
を含む、機器。
【請求項２６】
前記測定パイロット信号を前記第1のサブバンド領域に対応する前記少なくとも1つの物理リソースブロックに埋め込むときに、前記第3のプロセッサが、
事前設定規則に従って、前記測定パイロット信号を前記第1のサブバンド領域に対応する前記少なくとも1つの物理リソースブロックに埋め込むように特に構成される、請求項25に記載の機器。
【請求項２７】
前記測定パイロット信号を前記第1のサブバンド領域に対応する前記少なくとも1つの物理リソースブロックに埋め込むときに、前記第3のプロセッサが、
前記第1のサブバンド領域から、前記測定パイロット信号を伝送するために使用される第2のサブバンドを決定し、前記測定パイロット信号を前記第2のサブバンドに対応する少なくとも1つの物理リソースブロックに埋め込むように特に構成され、
前記第3の受信機が、前記第1のサブバンド領域内の前記第2のサブバンドのサブ識別子および前記測定パイロット信号を前記第2の機器に送信するようにさらに構成される、請求項25に記載の機器。
【請求項２８】
前記システム帯域幅がX個のサブバンド領域を含み、前記第1のサブバンド領域の前記識別子情報がXビットのデータを含み、前記Xビットのデータの配列順序が前記X個のサブバンド領域の配列順序に対応しており、
前記第1のサブバンド領域に対応するデータビットが第1の識別子に設定され、前記第1のサブバンド領域を除く前記X個のサブバンド内の各サブバンド領域に対応するデータビットが第2の識別子に設定され、前記第1の識別子が前記測定パイロット信号を伝送するために使用されるサブバンド領域を表し、前記第2の識別子が前記測定パイロット信号を伝送するために使用されないサブバンド領域を表し、Xが自然数であり、または
前記システム帯域幅に含まれる複数のサブバンド領域が事前に複数のサブバンド領域セットに分類され、1つのサブバンド領域セットが少なくとも1つのサブバンド領域を含み、
前記第1のサブバンド領域の前記識別子情報が、前記第1のサブバンド領域が属するサブバンド領域セットの識別子と前記サブバンド領域セット内の前記第1のサブバンド領域のサブ識別子とを含み、または
前記測定パイロット信号が複数の連続したサブバンド領域を使用して伝送される場合、前記第1のサブバンド領域の前記識別子情報が、前記複数の連続したサブバンド領域内の開始サブバンド領域の識別子と前記連続したサブバンド領域の数とに基づいて生成され、または
前記システム帯域幅がX個のサブバンド領域を含み、前記第1のサブバンド領域が前記X個のサブバンド領域内のY番目のサブバンド領域であり、前記第1のサブバンド領域の前記識別子情報がYに対応する2進数であり、Yが自然数である、請求項25から27のいずれか一項に記載の機器。
【請求項２９】
前記第1のサブバンド領域がW個のサブバンドを含み、前記第1のサブバンド領域内の前記第2のサブバンドの前記サブ識別子情報がWビットのデータを含み、前記Wビットのデータの配列順序が前記W個のサブバンドの配列順序に対応しており、
前記第2のサブバンドに対応するデータビットが第1の識別子に設定され、前記第2のサブバンドを除く前記W個のサブバンド内の各サブバンドに対応するデータビットが第2の識別子に設定され、前記第1の識別子が前記測定パイロット信号を伝送するために使用されるサブバンドを表し、前記第2の識別子が前記測定パイロット信号を伝送するために使用されないサブバンドを表し、Wが自然数であり、または
前記測定パイロット信号が複数の連続した第2のサブバンドを使用して伝送される場合、前記第1のサブバンド領域内の前記第2のサブバンドの前記サブ識別子情報が、前記複数の連続したサブバンド領域内の開始サブバンドの識別子と前記連続したサブバンド領域の数とに基づいて生成され、または
前記第1のサブバンド領域がW個のサブバンドを含み、前記第2のサブバンドが前記W個のサブバンド内のP番目のサブバンドであり、前記第1のサブバンド領域内の前記第2のサブバンドの前記サブ識別子情報がPに対応する2進数であり、Pが自然数であり、または
前記第1のサブバンド領域に含まれる複数のサブバンドが事前に複数のサブバンドセットに分類され、1つのサブバンドセットが少なくとも1つのサブバンドを含み、
前記第1のサブバンド領域内の前記第2のサブバンドの前記サブ識別子情報が、前記第2のサブバンドが属するサブバンドセットの識別子と前記サブバンドセット内の前記第2のサブバンドのサブ識別子とを含む、請求項27に記載の機器。
【請求項３０】
前記測定パイロット信号が下り測定パイロット信号または上り測定パイロット信号である、請求項25から29のいずれか一項に記載の機器。
【請求項３１】
測定パイロット信号を伝送するための機器であって、
第1の機器によって送信された第1のサブバンド領域の識別子情報を受信し、決定された物理リソースブロックで前記測定パイロット信号を受信するように構成された第4の送受信機であって、前記第1のサブバンド領域が少なくとも1つのサブバンドを含み、1つのサブバンドが少なくとも1つの物理リソースブロックを含む、第4の送受信機と、
前記第1のサブバンド領域の前記識別子情報に基づいて、前記測定パイロット信号を伝送するために使用される前記物理リソースブロックを決定するように構成された第4のプロセッサと、
を含む、機器。
【請求項３２】
前記第1のサブバンド領域の前記識別子情報に基づいて、前記測定パイロット信号を伝送するために使用される前記物理リソースブロックを決定するときに、前記第4のプロセッサが、
前記第1のサブバンド領域の前記識別子情報に基づき、事前設定規則に従って、前記測定パイロット信号を伝送するために使用される前記物理リソースブロックを決定するように特に構成される、請求項31に記載の機器。
【請求項３３】
前記第4の送受信機が、前記第1のサブバンド領域内の第2のサブバンドの、前記第1の機器によって送信されたサブ識別子情報を受信し、前記第2のサブバンドが前記測定パイロット信号を伝送するために使用される、ようにさらに構成され、
前記第1のサブバンド領域の前記識別子情報に基づいて、前記測定パイロット信号を伝送するために使用される前記物理リソースブロックを決定するときに、前記第4のプロセッサが、
前記第1のサブバンド領域の前記識別子と前記第2のサブバンドの前記サブ識別子とに基づいて、前記測定パイロット信号を伝送するために使用される前記物理リソースブロックを決定するように特に構成される、請求項31に記載の機器。
【請求項３４】
前記システム帯域幅がX個のサブバンド領域を含み、前記第1のサブバンド領域の前記識別子情報がXビットのデータを含み、前記Xビットのデータの配列順序が前記X個のサブバンド領域の配列順序に対応しており、
前記第1のサブバンド領域に対応するデータビットが第1の識別子に設定され、前記第1のサブバンド領域を除く前記X個のサブバンド内の各サブバンド領域に対応するデータビットが第2の識別子に設定され、前記第1の識別子が前記測定パイロット信号を伝送するために使用されるサブバンド領域を表し、前記第2の識別子が前記測定パイロット信号を伝送するために使用されないサブバンド領域を表し、Xが自然数であり、または
前記システム帯域幅に含まれる複数のサブバンド領域が事前に複数のサブバンド領域セットに分類され、1つのサブバンド領域セットが少なくとも1つのサブバンド領域を含み、
前記第1のサブバンド領域の前記識別子情報が、前記第1のサブバンド領域が属するサブバンド領域セットの識別子と前記サブバンド領域セット内の前記第1のサブバンド領域のサブ識別子とを含み、または
前記測定パイロット信号が複数の連続したサブバンド領域を使用して伝送される場合、前記第1のサブバンド領域の前記識別子情報が、前記複数の連続したサブバンド領域内の開始サブバンド領域の識別子と前記連続したサブバンド領域の数とに基づいて生成され、または
前記システム帯域幅がX個のサブバンド領域を含み、前記第1のサブバンド領域が前記X個のサブバンド領域内のY番目のサブバンド領域であり、前記第1のサブバンド領域の前記識別子情報がYに対応する2進数であり、Yが自然数である、請求項31から33のいずれか一項に記載の機器。
【請求項３５】
前記第1のサブバンド領域がW個のサブバンドを含み、前記第1のサブバンド領域内の前記第2のサブバンドの前記サブ識別子情報がWビットのデータを含み、前記Wビットのデータの配列順序が前記W個のサブバンドの配列順序に対応しており、
前記第2のサブバンドに対応するデータビットが第1の識別子に設定され、前記第2のサブバンドを除く前記W個のサブバンド内の各サブバンドに対応するデータビットが第2の識別子に設定され、前記第1の識別子が前記測定パイロット信号を伝送するために使用されるサブバンドを表し、前記第2の識別子が前記測定パイロット信号を伝送するために使用されないサブバンドを表し、Wが自然数であり、または
前記測定パイロット信号が複数の連続した第2のサブバンドを使用して伝送される場合、前記第1のサブバンド領域内の前記第2のサブバンドの前記サブ識別子情報が、前記複数の連続したサブバンド領域内の開始サブバンドの識別子と前記連続したサブバンド領域の数とに基づいて生成され、または
前記第1のサブバンド領域がW個のサブバンドを含み、前記第2のサブバンドが前記W個のサブバンド内のP番目のサブバンドであり、前記第1のサブバンド領域内の前記第2のサブバンドの前記サブ識別子情報がPに対応する2進数であり、Pが自然数であり、または
前記第1のサブバンド領域に含まれる複数のサブバンドが事前に複数のサブバンドセットに分類され、1つのサブバンドセットが少なくとも1つのサブバンドを含み、
前記第1のサブバンド領域内の前記第2のサブバンドの前記サブ識別子情報が、前記第2のサブバンドが属するサブバンドセットの識別子と前記サブバンドセット内の前記第2のサブバンドのサブ識別子とを含む、請求項33に記載の機器。
【請求項３６】
前記測定パイロット信号が下り測定パイロット信号または上り測定パイロット信号である、請求項31から35のいずれか一項に記載の機器。
【発明の詳細な説明】
【技術分野】
【０００１】
本出願は、参照によりその全体が本明細書に組み入れられる、2016年12月28日付で中国特許庁に出願された、「METHOD AND DEVICE FOR TRANSMITTING MEASUREMENT PILOT SIGNAL」という名称の中国特許出願第201611239759．0号の優先権を主張するものである。
【０００２】
本出願は、移動通信技術の分野に関し、特に、測定パイロット信号を伝送するための方法および機器に関する。
【背景技術】
【０００３】
LTE（Long Term Evolution、ロングタームエボリューション）システムにおいて、基地局が通常、下りチャネルの状態情報を推定するための下り測定パイロット信号を送信し、下り測定パイロット信号を受信した後、UE（User Equipment、ユーザ機器）が、その下りチャネルの関連情報、例えば、下りチャネルのPMI、CQI、RIなどの情報を取得するために検出およびチャネル推定を行い、最後に、下りチャネルの関連情報を基地局側に返送して、基地局がUEのリソーススケジューリングを行う。
【０００４】
前述の分析から、基地局が下り測定パイロット信号を送信する目的は、UEのリソーススケジューリングを行うことであることが分かる。加えて、既存のLTEシステムでは、下りチャネルのすべてのシステム帯域幅がユーザデータを伝送するために使用されるので、下り測定パイロット信号は全帯域幅で伝送される必要がある。LTEシステムにおいて、LTEシステムのシステム帯域幅は複数のPRB（Physical Resource Block、物理リソースブロック）を占有する。したがって、先行技術では、下り測定パイロット信号は、LTEシステム帯域幅上の各PRBに埋め込まれる必要がある。例えば、現在のLTEシステムのシステム帯域幅が10Mであり、50個のPRBを占有する場合、先行技術によれば、下り測定パイロット信号は50個のPRBの1つ1つに埋め込まれる必要がある。
【０００５】
しかしながら、システム帯域幅は将来の5G通信システムにおいて絶え間なく増大し、したがって、システム帯域幅の一部を使用したユーザデータの伝送に対する要件が生じるであろう。この場合、全システム帯域幅の一部のPRBを使用して下り測定パイロット信号が伝送される。現在のところ、下り測定パイロット信号を伝送するための有効な解決策がない。
【発明の概要】
【課題を解決するための手段】
【０００６】
本出願の実施形態は、全システム帯域幅の一部の物理リソースブロックで測定パイロット信号を伝送するために、測定パイロット信号を伝送するための方法および機器を提供する。
【０００７】
第1の態様によれば、本出願の一実施形態は、測定パイロット信号を伝送するための方法を提供し、本方法は、第1の機器がシステム帯域幅に含まれる複数のサブバンドから、測定パイロット信号を伝送するために使用される第1のサブバンドを決定するステップであって、1つのサブバンドが少なくとも1つの物理リソースブロックを含む、ステップと、第1の機器が、第1のサブバンドの識別子情報を第2の機器に送信するステップと、第1の機器が、測定パイロット信号を第1のサブバンドに対応する物理リソースブロックに埋め込み、測定パイロット信号を第2の機器に、ステップと、を含む。
【０００８】
本出願の本実施形態では、まず、第1の機器がシステム帯域幅を異なるサブバンドに分割し、各サブバンドが少なくとも1つのPRBを占有する。次いで、システムから、第1の機器が、測定パイロット信号を伝送するために使用される第1のサブバンドを決定し、第1のサブバンドの識別子情報を第2の機器に送信する。最後に、第1の機器は、測定パイロット信号を第1のサブバンドに対応するPRBに埋め込み、測定パイロット信号が埋め込まれたPRBを第2の機器に送信する。これに対応して、第2の機器は、第1のサブバンドの識別子に基づいて複数の受信PRBから測定パイロット信号を復調し得る。本出願の本実施形態において開示される方法では、測定パイロット信号が部分帯域幅で伝送され得ることが分かる。
【０００９】
第1の態様に関連して、第1の可能な実施態様において、システム帯域幅はN個のサブバンドを含み、第1のサブバンドの識別子情報はNビットのデータを含み、Nビットのデータの配列順序がN個のサブバンドの配列順序に対応しており、第1のサブバンドに対応するデータビットが第1の識別子に設定され、第1のサブバンドを除くN個のサブバンド内の各サブバンドに対応するデータビットが第2の識別子に設定され、第1の識別子は測定パイロット信号を伝送するために使用されるサブバンドを表し、第2の識別子は測定パイロット信号を伝送するために使用されないサブバンドを表し、Nは自然数であり、または
第1の機器が、第1のサブバンドの識別子情報を第2の機器に送信するステップの前に、本方法は、第1の機器が、システム帯域幅に含まれる複数のサブバンドを複数のサブバンドセットに分割するステップであって、1つのサブバンドセットが少なくとも1つのサブバンドを含む、ステップ、をさらに含み、第1のサブバンドの識別子情報は、第1のサブバンドが属するサブバンドセットの識別子とサブバンドセット内の第1のサブバンドのサブ識別子とを含み、または
第1の機器が複数の連続したサブバンドを使用して測定パイロット信号を送信する場合、第1のサブバンドの識別子情報は、複数の連続したサブバンド内の開始サブバンドの識別子と連続したサブバンドの数とに基づいて生成され、または
システム帯域幅はN個のサブバンドを含み、第1のサブバンドはN個のサブバンド内のM番目のサブバンドであり、第1のサブバンドの識別子情報はMに対応する2進数である。
【００１０】
本出願の本実施形態では、ユーザが、必要に応じて、第1のサブバンドの識別子を決定するために前述の方法のいずれか1つを選択し得るので、第1のサブバンドが柔軟に識別され得る。
【００１１】
第1の態様または第1の態様の第1の可能な実施態様に関連して、第2の可能な実施態様において、第1の機器は基地局であり、第2の機器はユーザ機器であり、測定パイロット信号は下り測定パイロット信号であり、または第1の機器はユーザ機器であり、第2の機器は基地局であり、測定パイロット信号は上り測定パイロット信号である。
【００１２】
本出願の本実施形態で提供される伝送方法は、下り測定パイロット信号を伝送するために使用され得るのみならず、上り測定パイロット信号を伝送するためにも使用され得る。
【００１３】
第2の態様によれば、測定パイロット信号を伝送するための方法が提供され、本方法は、第2の機器が、第1の機器によって送信された第1のサブバンドの識別子情報を受信するステップであって、第1のサブバンドが複数の物理リソースブロックを含み、各物理リソースブロックが測定パイロット信号を伝送するために使用される、ステップと、第2の機器が第1のサブバンドの識別子情報に基づいて、測定パイロット信号を伝送するために使用される物理リソースブロックを決定するステップと、第2の機器が決定された物理リソースブロックで、第1の機器によって送信された測定パイロット信号を受信するステップと、を含む。
【００１４】
本出願の本実施形態では、まず、第1の機器がシステム帯域幅を異なるサブバンドに分割し、各サブバンドが少なくとも1つのPRBを占有する。次いで、システムから、第1の機器が、測定パイロット信号を伝送するために使用される第1のサブバンドを決定し、第1のサブバンドの識別子情報を第2の機器に送信する。最後に、第1の機器は、測定パイロット信号を第1のサブバンドに対応するPRBに埋め込み、測定パイロット信号が埋め込まれたPRBを第2の機器に送信する。これに対応して、第2の機器は、第1のサブバンドの識別子に基づいて複数の受信PRBから測定パイロット信号を復調し得る。本出願の本実施形態において開示される方法では、測定パイロット信号が部分帯域幅で伝送され得ることが分かる。
【００１５】
第2の態様に関連して、第1の可能な実施態様において、システム帯域幅はN個のサブバンドを含み、第1のサブバンドの識別子情報はNビットのデータを含み、Nビットのデータの配列順序がN個のサブバンドの配列順序に対応しており、第1のサブバンドに対応するデータビットが第1の識別子に設定され、第1のサブバンドを除くN個のサブバンド内の各サブバンドに対応するデータビットが第2の識別子に設定され、第1の識別子は測定パイロット信号を伝送するために使用されるサブバンドを表し、第2の識別子は測定パイロット信号を伝送するために使用されないサブバンドを表し、Nは自然数であり、または
第1のサブバンドの識別子情報は、第1のサブバンドが属するサブバンドセットの識別子とサブバンドセット内の第1のサブバンドのサブ識別子とを含み、サブバンドセットは少なくとも第1のサブバンドを含み、または
測定パイロット信号が複数の連続したサブバンドで伝送される場合、第1のサブバンドの識別子情報は、複数の連続したサブバンド内の開始サブバンドの識別子と連続したサブバンドの数とに基づいて生成され、または
システム帯域幅はN個のサブバンドを含み、第1のサブバンドはN個のサブバンド内のM番目のサブバンドであり、第1のサブバンドの識別子情報はMに対応する2進数である。
【００１６】
本出願の本実施形態では、ユーザが、必要に応じて、第1のサブバンドの識別子を決定するために前述の方法のいずれか1つを選択し得るので、第1のサブバンドが柔軟に識別され得る。
【００１７】
第2の態様または第2の態様の第1の可能な実施態様に関連して、第2の可能な実施態様において、第1の機器は基地局であり、第2の機器はユーザ機器であり、測定パイロット信号は下り測定パイロット信号であり、または第1の機器はユーザ機器であり、第2の機器は基地局であり、測定パイロット信号は上り測定パイロット信号である。
【００１８】
本出願の本実施形態で提供される伝送方法は、下り測定パイロット信号を伝送するために使用され得るのみならず、上り測定パイロット信号を伝送するためにも使用され得る。
【００１９】
第3の態様によれば、測定パイロット信号を伝送するための方法が提供され、本方法は、第1の機器がシステム帯域幅に含まれる複数のサブバンドから、測定パイロット信号を伝送するために使用される第1のサブバンド領域を決定するステップであって、1つのサブバンドが少なくとも1つの物理リソースブロックを含み、第1のサブバンド領域が少なくとも1つのサブバンドを含む、ステップと、
第1の機器が、第1のサブバンド領域の識別子情報を第2の機器に送信するステップと、第1の機器が、測定パイロット信号を第1のサブバンド領域に対応する少なくとも1つの物理リソースブロックに埋め込み、測定パイロット信号を第2の機器に送信するステップと、を含む。
【００２０】
本出願の本実施形態では、まず、第1の機器がシステム帯域幅を異なるサブバンドに分割し、各サブバンドが少なくとも1つのPRBを占有する。次いで、システムから、第1の機器が、測定パイロット信号を伝送するために使用される第1のサブバンドを決定し、第1のサブバンドの識別子情報を第2の機器に送信する。最後に、第1の機器は、測定パイロット信号を第1のサブバンドに対応するPRBに埋め込み、測定パイロット信号が埋め込まれたPRBを第2の機器に送信する。これに対応して、第2の機器は、第1のサブバンドの識別子に基づいて複数の受信PRBから測定パイロット信号を復調し得る。本出願の本実施形態において開示される方法では、測定パイロット信号が部分帯域幅で伝送され得ることが分かる。
【００２１】
第3の態様に関連して、第1の可能な実施態様において、第1の機器が、測定パイロット信号を第1のサブバンド領域に対応する少なくとも1つの物理リソースブロックに埋め込み、測定パイロット信号を第2の機器に送信するステップは、第1の機器が事前設定規則に従って、測定パイロット信号を第1のサブバンド領域に対応する少なくとも1つの物理リソースブロックに埋め込み、測定パイロット信号を第2の機器に送信するステップ、を含む。
【００２２】
本出願の本実施形態で提供される方法では、シグナリングが1回だけ送信されさえすればよく、したがってシグナリングオーバーヘッドが低減される。
【００２３】
第3の態様に関連して、第2の可能な実施態様において、第1の機器が、測定パイロット信号を第1のサブバンド領域に対応する少なくとも1つの物理リソースブロックに埋め込み、測定パイロット信号を第2の機器に送信するステップは、第1の機器が第1のサブバンド領域から、測定パイロット信号を伝送するために使用される第2のサブバンドを決定するステップと、第1の機器が、第1のサブバンド領域内の第2のサブバンドのサブ識別子を第2の機器に送信するステップと、第1の機器が、測定パイロット信号を第2のサブバンドに埋め込み、測定パイロット信号が埋め込まれた第2のサブバンドを第2の機器に送信するステップと、を含む。
【００２４】
本出願の本実施形態で提供される方法を使用すればシグナリングオーバーヘッドも低減され得る。
【００２５】
第3の態様、第3の態様の第1の可能な実施態様、または第3の態様の第2の可能な実施態様に関連して、第3の可能な実施態様において、システム帯域幅はX個のサブバンド領域を含み、第1のサブバンド領域の識別子情報はXビットのデータを含み、Xビットのデータの配列順序がX個のサブバンド領域の配列順序に対応しており、第1のサブバンド領域に対応するデータビットが第1の識別子に設定され、第1のサブバンド領域を除くX個のサブバンド領域内の各サブバンド領域に対応するデータビットが第2の識別子に設定され、第1の識別子は測定パイロット信号を伝送するために使用されるサブバンド領域を表し、第2の識別子は測定パイロット信号を伝送するために使用されないサブバンド領域を表し、Xは自然数であり、または
第1の機器が、第1のサブバンド領域の識別子情報を第2の機器に送信するステップの前に、本方法は、第1の機器が、システム帯域幅に含まれる複数のサブバンド領域を複数のサブバンド領域セットに分割するステップであって、1つのサブバンド領域セットが少なくとも1つのサブバンド領域を含む、ステップ、をさらに含み、第1のサブバンド領域の識別子情報は、第1のサブバンド領域が属するサブバンド領域セットの識別子とサブバンド領域セット内の第1のサブバンド領域のサブ識別子とを含み、または
第1の機器が複数の連続したサブバンド領域を使用して測定パイロット信号を送信する場合、第1のサブバンド領域の識別子情報は、複数の連続したサブバンド領域内の開始サブバンド領域の識別子と連続したサブバンド領域の数とに基づいて生成され、または
システム帯域幅はX個のサブバンド領域を含み、第1のサブバンド領域はX個のサブバンド領域内のY番目のサブバンド領域であり、第1のサブバンド領域の識別子情報はYに対応する2進数であり、Yは自然数である。
【００２６】
第3の態様の第2の可能な実施態様に関連して、第4の可能な実施態様において、第1のサブバンド領域はW個のサブバンドを含み、第1のサブバンド領域内の第2のサブバンドのサブ識別子情報はWビットのデータを含み、Wビットのデータの配列順序がW個のサブバンドの配列順序に対応しており、第2のサブバンドに対応するデータビットが第1の識別子に設定され、第2のサブバンドを除くW個のサブバンド内の各サブバンドに対応するデータビットが第2の識別子に設定され、第1の識別子は測定パイロット信号を伝送するために使用されるサブバンドを表し、第2の識別子は測定パイロット信号を伝送するために使用されないサブバンドを表し、Wは自然数であり、または
第1の機器が複数の連続した第2のサブバンドを使用して測定パイロット信号を送信する場合、第1のサブバンド領域内の第2のサブバンドのサブ識別子情報は、複数の連続したサブバンド領域内の開始サブバンドの識別子と連続したサブバンド領域の数とに基づいて生成され、または
第1のサブバンド領域はW個のサブバンドを含み、第2のサブバンドはW個のサブバンド内のP番目のサブバンドであり、第1のサブバンド領域内の第2のサブバンドのサブ識別子情報はPに対応する2進数であり、Pは自然数であり、または
第1の機器が、第1のサブバンド領域内の第2のサブバンドのサブ識別子を第2の機器に送信するステップの前に、本方法は、第1の機器が、第1のサブバンド領域に含まれる複数のサブバンドを複数のサブバンドセットに分割するステップであって、1つのサブバンドセットが少なくとも1つのサブバンドを含む、ステップ、をさらに含み、第1のサブバンド領域内の第2のサブバンドのサブ識別子情報は、第2のサブバンドが属するサブバンドセットの識別子とサブバンドセット内の第2のサブバンドのサブ識別子とを含む。
【００２７】
第3の態様、第3の態様の第1の可能な実施態様、第3の態様の第2の可能な実施態様、第3の態様の第3の可能な実施態様、または第3の態様の第4の可能な実施態様に関連して、第5の可能な実施態様において、第1の機器は基地局であり、第2の機器はユーザ機器であり、測定パイロット信号は下り測定パイロット信号であり、または第1の機器はユーザ機器であり、第2の機器は基地局であり、測定パイロット信号は上り測定パイロット信号である。
【００２８】
第4の態様によれば、本出願の一実施形態は、測定パイロット信号を伝送するための方法を提供し、本方法は、第2の機器が、第1の機器によって送信された第1のサブバンド領域の識別子情報を受信するステップであって、第1のサブバンド領域が少なくとも1つのサブバンドを含み、1つのサブバンドが少なくとも1つの物理リソースブロックを含む、ステップと、第2の機器が第1のサブバンド領域の識別子情報に基づいて、測定パイロット信号を伝送するために使用される物理リソースブロックを決定するステップと、第2の機器が決定された物理リソースブロックで、第1の機器によって送信された測定パイロット信号を受信するステップと、を含む。
【００２９】
第4の態様に関連して、第4の態様の第1の可能な実施態様において、第2の機器が第1のサブバンド領域の識別子情報に基づいて、測定パイロット信号を伝送するために使用される物理リソースブロックを決定するステップは、第2の機器が第1のサブバンド領域の識別子情報に基づき、事前設定規則に従って、測定パイロット信号を伝送するために使用される物理リソースブロックを決定するステップ、を含む。
【００３０】
第4の態様に関連して、第4の態様の第2の可能な実施態様において、第2の機器は、第1のサブバンド領域内の第2のサブバンドの、第1の機器によって送信されたサブ識別子情報を受信し、第2のサブバンドは測定パイロット信号を伝送するために使用され、第2の機器は、第1のサブバンド領域の識別子と第2のサブバンドのサブ識別子とに基づいて、測定パイロット信号を伝送するために使用される物理リソースブロックを決定する。
【００３１】
第4の態様、第4の態様の第1の可能ネットワーク属性実施態様または第4の態様の第2の可能な実施態様に関連して、第3の可能な実施態様において、システム帯域幅はX個のサブバンド領域を含み、第1のサブバンド領域の識別子情報はXビットのデータを含み、Xビットのデータの配列順序がX個のサブバンド領域の配列順序に対応しており、第1のサブバンド領域に対応するデータビットが第1の識別子に設定され、第1のサブバンド領域を除くX個のサブバンド領域内の各サブバンド領域に対応するデータビットが第2の識別子に設定され、第1の識別子は測定パイロット信号を伝送するために使用されるサブバンド領域を表し、第2の識別子は測定パイロット信号を伝送するために使用されないサブバンド領域を表し、Xは自然数であり、または
第1の機器が第1のサブバンド領域の識別子情報を第2の機器に送信する前に、本方法は、第1の機器が、システム帯域幅に含まれる複数のサブバンド領域を複数のサブバンド領域セットに分割するステップであって、1つのサブバンド領域セットが少なくとも1つのサブバンド領域を含む、ステップ、をさらに含み、第1のサブバンド領域の識別子情報は、第1のサブバンド領域が属するサブバンド領域セットの識別子とサブバンド領域セット内の第1のサブバンド領域のサブ識別子とを含み、または
第1の機器が複数の連続したサブバンド領域を使用して測定パイロット信号を送信する場合、第1のサブバンド領域の識別子情報は、複数の連続したサブバンド領域内の開始サブバンド領域の識別子と連続したサブバンド領域の数とに基づいて生成され、または
システム帯域幅はX個のサブバンド領域を含み、第1のサブバンド領域はX個のサブバンド領域内のY番目のサブバンド領域であり、第1のサブバンド領域の識別子情報はYに対応する2進数であり、Yは自然数である。
【００３２】
第4の態様の第2の可能な実施態様に関連して、第4の可能な実施態様において、第1のサブバンド領域はW個のサブバンドを含み、第1のサブバンド領域内の第2のサブバンドのサブ識別子情報はWビットのデータを含み、Wビットのデータの配列順序がW個のサブバンドの配列順序に対応しており、
第2のサブバンドに対応するデータビットが第1の識別子に設定され、第2のサブバンドを除くW個のサブバンド内の各サブバンドに対応するデータビットが第2の識別子に設定され、第1の識別子は測定パイロット信号を伝送するために使用されるサブバンドを表し、第2の識別子は測定パイロット信号を伝送するために使用されないサブバンドを表し、Wは自然数であり、または
第1の機器が複数の連続した第2のサブバンドを使用して測定パイロット信号を送信する場合、第1のサブバンド領域内の第2のサブバンドのサブ識別子情報は、複数の連続したサブバンド領域内の開始サブバンドの識別子と連続したサブバンド領域の数とに基づいて生成され、または
第1のサブバンド領域はW個のサブバンドを含み、第2のサブバンドはW個のサブバンド内のP番目のサブバンドであり、第1のサブバンド領域内の第2のサブバンドのサブ識別子情報はPに対応する2進数であり、Pは自然数であり、または
第1の機器が第1のサブバンド領域内の第2のサブバンドのサブ識別子を第2の機器に送信する前に、本方法は、第1の機器が、第1のサブバンド領域に含まれる複数のサブバンドを複数のサブバンドセットに分割するステップであって、1つのサブバンドセットが少なくとも1つのサブバンドを含む、ステップ、をさらに含み、第1のサブバンド領域内の第2のサブバンドのサブ識別子情報は、第2のサブバンドが属するサブバンドセットの識別子とサブバンドセット内の第2のサブバンドのサブ識別子とを含む。
【００３３】
第4の態様、または第4の態様の第1の可能な実施態様、第2の可能な実施態様、もしくは第3の可能な実施態様に関連して、第4の可能な実施態様において、第1の機器は基地局であり、第2の機器はユーザ機器であり、測定パイロット信号は下り測定パイロット信号であり、または第1の機器はユーザ機器であり、第2の機器は基地局であり、測定パイロット信号は上り測定パイロット信号である。
【００３４】
第5の態様によれば、測定パイロット信号を送信するための機器が提供され、本機器は、全システム帯域幅に含まれる複数のサブバンドから、測定パイロット信号を伝送するために使用される第1のサブバンドを決定し、測定パイロット信号を第1のサブバンドに対応する物理リソースブロックに埋め込むように構成された第1のプロセッサであって、1つのサブバンドが少なくとも1つの物理リソースブロックを含む、第1のプロセッサと、第1のサブバンドの識別子情報を第2の機器に送信し、測定パイロット信号を第2の機器に送信するように構成された、第1の送受信機と、を含む。
【００３５】
第5の態様に関連して、第1の可能な実施態様において、システム帯域幅はN個のサブバンドを含み、第1のサブバンドの識別子情報はNビットのデータを含み、Nビットのデータの配列順序がN個のサブバンドの配列順序に対応しており、第1のサブバンドに対応するデータビットが第1の識別子に設定され、第1のサブバンドを除くN個のサブバンド内の各サブバンドに対応するデータビットが第2の識別子に設定され、第1の識別子は測定パイロット信号を伝送するために使用されるサブバンドを表し、第2の識別子は測定パイロット信号を伝送するために使用されないサブバンドを表し、Nは自然数であり、または
システム帯域幅に含まれる複数のサブバンドは事前に複数のサブバンドセットに分類され、1つのサブバンドセットは少なくとも1つのサブバンドを含み、第1のサブバンドの識別子情報は、第1のサブバンドが属するサブバンドセットの識別子とサブバンドセット内の第1のサブバンドのサブ識別子とを含み、または
測定パイロット信号が複数の連続したサブバンドを使用して伝送される場合、第1のサブバンドの識別子情報は、複数の連続したサブバンド内の開始サブバンドの識別子と連続したサブバンドの数とに基づいて生成され、または
システム帯域幅はN個のサブバンドを含み、第1のサブバンドはN個のサブバンド内のM番目のサブバンドであり、第1のサブバンドの識別子情報はMに対応する2進数である。
【００３６】
第5の態様または第5の態様の第1の可能な実施態様に関連して、第2の可能な実施態様において、測定パイロット信号は、下り測定パイロット信号または上り測定パイロット信号である。
【００３７】
第6の態様によれば、測定パイロット信号を送信するための機器が提供され、本機器は、第1の機器によって送信された第1のサブバンドの識別子情報を受信し、決定された物理リソースブロックで測定パイロット信号を受信するように構成された第2の送受信機であって、第1のサブバンドは複数の物理リソースブロックを含み、各物理リソースブロックが測定パイロット信号を伝送するために使用される、第2の送受信機と、第1のサブバンドの識別子情報に基づいて、測定パイロット信号を伝送するために使用される物理リソースブロックを決定するように構成された、第2のプロセッサと、を含む。
【００３８】
第6の態様に関連して、第1の可能な実施態様において、システム帯域幅はN個のサブバンドを含み、第1のサブバンドの識別子情報はNビットのデータを含み、Nビットのデータの配列順序がN個のサブバンドの配列順序に対応しており、第1のサブバンドに対応するデータビットが第1の識別子に設定され、第1のサブバンドを除くN個のサブバンド内の各サブバンドに対応するデータビットが第2の識別子に設定され、第1の識別子は測定パイロット信号を伝送するために使用されるサブバンドを表し、第2の識別子は測定パイロット信号を伝送するために使用されないサブバンドを表し、Nは自然数であり、または
第1のサブバンドの識別子情報は、第1のサブバンドが属するサブバンドセットの識別子とサブバンドセット内の第1のサブバンドのサブ識別子とを含み、サブバンドセットは少なくとも第1のサブバンドを含み、または
測定パイロット信号が複数の連続したサブバンドで伝送される場合、第1のサブバンドの識別子情報は、複数の連続したサブバンド内の開始サブバンドの識別子と連続したサブバンドの数とに基づいて生成され、または
システム帯域幅はN個のサブバンドを含み、第1のサブバンドはN個のサブバンド内のM番目のサブバンドであり、第1のサブバンドの識別子情報はMに対応する2進数である。
【００３９】
第6の態様または第6の態様の第1の可能な実施態様に関連して、第2の可能な実施態様において、測定パイロット信号は、下り測定パイロット信号または上り測定パイロット信号である。
【００４０】
第7の態様によれば、測定パイロット信号を送信するための機器が提供され、本機器は、システム帯域幅に含まれる複数のサブバンドから、測定パイロット信号を伝送するために使用される第1のサブバンド領域を決定し、測定パイロット信号を第1のサブバンド領域に対応する少なくとも1つの物理リソースブロックに埋め込むように構成された第3のプロセッサであって、1つのサブバンドが少なくとも1つの物理リソースブロックを含み、第1のサブバンド領域が少なくとも1つのサブバンドを含む、第3のプロセッサと、第1のサブバンド領域の識別子情報および測定パイロット信号を第2の機器に送信するように構成された、第3の送受信機と、を含む。
【００４１】
第7の態様に関連して、第1の可能な実施態様において、測定パイロット信号を第1のサブバンド領域に対応する少なくとも1つの物理リソースブロックに埋め込むときに、第3のプロセッサは、事前設定規則に従って、測定パイロット信号を、第1のサブバンド領域に対応する少なくとも1つの物理リソースブロックに埋め込むように特に構成される。
【００４２】
第7の態様に関連して、第2の可能な実施態様において、第2の送信部は、第1のサブバンド領域から、測定パイロット信号を伝送するために使用される第2のサブバンドを決定し、測定パイロット信号を第2のサブバンドに対応する少なくとも1つの物理リソースブロックに埋め込むように特に構成され、第3の受信機は、第1のサブバンド領域内の第2のサブバンドのサブ識別子および測定パイロット信号を第2の機器に送信するようにさらに構成される。
【００４３】
第7の態様、第7の態様の第1の可能な実施態様、または第7の態様の第2の可能な実施態様に関連して、第3の可能な実施態様において、システム帯域幅はX個のサブバンド領域を含み、第1のサブバンド領域の識別子情報はXビットのデータを含み、Xビットのデータの配列順序がX個のサブバンド領域の配列順序に対応しており、第1のサブバンド領域に対応するデータビットが第1の識別子に設定され、第1のサブバンド領域を除くX個のサブバンド領域内の各サブバンド領域に対応するデータビットが第2の識別子に設定され、第1の識別子は測定パイロット信号を伝送するために使用されるサブバンド領域を表し、第2の識別子は測定パイロット信号を伝送するために使用されないサブバンド領域を表し、Xは自然数であり、または
システム帯域幅に含まれる複数のサブバンド領域が事前に複数のサブバンド領域セットに分類され、1つのサブバンド領域セットが少なくとも1つのサブバンド領域を含み、第1のサブバンド領域の識別子情報は、第1のサブバンド領域が属するサブバンド領域セットの識別子とサブバンド領域セット内の第1のサブバンド領域のサブ識別子とを含み、または
測定パイロット信号が複数の連続したサブバンド領域を使用して伝送される場合、第1のサブバンド領域の識別子情報は、複数の連続したサブバンド領域内の開始サブバンド領域の識別子と連続したサブバンド領域の数とに基づいて生成され、または
システム帯域幅はX個のサブバンド領域を含み、第1のサブバンド領域はX個のサブバンド領域内のY番目のサブバンド領域であり、第1のサブバンド領域の識別子情報はYに対応する2進数であり、Yは自然数である。
【００４４】
第7の態様の第2の可能な実施態様に関連して、第4の可能な実施態様において、第1のサブバンド領域はW個のサブバンドを含み、第1のサブバンド領域内の第2のサブバンドのサブ識別子情報はWビットのデータを含み、Wビットのデータの配列順序がW個のサブバンドの配列順序に対応しており、第2のサブバンドに対応するデータビットが第1の識別子に設定され、第2のサブバンドを除くW個のサブバンド内の各サブバンドに対応するデータビットが第2の識別子に設定され、第1の識別子は測定パイロット信号を伝送するために使用されるサブバンドを表し、第2の識別子は測定パイロット信号を伝送するために使用されないサブバンドを表し、Wは自然数であり、または
測定パイロット信号が複数の連続した第2のサブバンドを使用して伝送される場合、第1のサブバンド領域内の第2のサブバンドのサブ識別子情報は、複数の連続したサブバンド領域内の開始サブバンドの識別子と連続したサブバンド領域の数とに基づいて生成され、または
第1のサブバンド領域はW個のサブバンドを含み、第2のサブバンドはW個のサブバンド内のP番目のサブバンドであり、第1のサブバンド領域内の第2のサブバンドのサブ識別子情報はPに対応する2進数であり、Pは自然数であり、または
第1のサブバンド領域に含まれる複数のサブバンドが事前に複数のサブバンドセットに分類され、1つのサブバンドセットが少なくとも1つのサブバンドを含み、第1のサブバンド領域内の第2のサブバンドのサブ識別子情報は、第2のサブバンドが属するサブバンドセットの識別子とサブバンドセット内の第2のサブバンドのサブ識別子とを含む。
【００４５】
第7の態様、第7の態様の第1の可能な実施態様、第7の態様の第2の可能な実施態様、第7の態様の第3の可能な実施態様、または第7の態様の第4の可能な実施態様に関連して、第5の可能な実施態様において、測定パイロット信号は、下り測定パイロット信号または上り測定パイロット信号である。
【００４６】
第8の態様によれば、測定パイロット信号を送信するための機器が提供され、本機器は、第1の機器によって送信された第1のサブバンド領域の識別子情報を受信し、決定された物理リソースブロックで測定パイロット信号を受信するように構成された第4の送受信機であって、第1のサブバンド領域が少なくとも1つのサブバンドを含み、1つのサブバンドが少なくとも1つの物理リソースブロックを含む、第4の送受信機と、第1のサブバンド領域の識別子情報に基づいて、測定パイロット信号を伝送するために使用される物理リソースブロックを決定するように構成された、第4のプロセッサと、を含む。
【００４７】
第8の態様に関連して、第8の態様の第1の可能な実施態様において、第1のサブバンド領域の識別子情報に基づいて、測定パイロット信号を伝送するために使用される物理リソースブロックを決定するときに、第4のプロセッサは、第1のサブバンド領域の識別子情報に基づき、事前設定規則に従って、測定パイロット信号を伝送するために使用される物理リソースブロックを決定するように特に構成される。
【００４８】
第8の態様に関連して、第8の態様の第2の可能な実施態様において、第4の送受信機は、第1のサブバンド領域内の第2のサブバンドの、第1の機器によって送信されたサブ識別子情報を受信し、第2のサブバンドが測定パイロット信号を伝送するために使用される、ようにさらに構成され、第1のサブバンド領域の識別子情報に基づいて、測定パイロット信号を伝送するために使用される物理リソースブロックを決定するときに、第4のプロセッサは、第1のサブバンド領域の識別子と第2のサブバンドのサブ識別子とに基づいて、測定パイロット信号を伝送するために使用される物理リソースブロックを決定するように特に構成される。
【００４９】
第8の態様、第8の態様の第1の可能な実施態様、または第8の態様の第2の可能な実施態様に関連して、第3の可能な実施態様において、システム帯域幅はX個のサブバンド領域を含み、第1のサブバンド領域の識別子情報はXビットのデータを含み、Xビットのデータの配列順序がX個のサブバンド領域の配列順序に対応しており、第1のサブバンド領域に対応するデータビットが第1の識別子に設定され、第1のサブバンド領域を除くX個のサブバンド領域内の各サブバンド領域に対応するデータビットが第2の識別子に設定され、第1の識別子は測定パイロット信号を伝送するために使用されるサブバンド領域を表し、第2の識別子は測定パイロット信号を伝送するために使用されないサブバンド領域を表し、Xは自然数であり、または
システム帯域幅に含まれる複数のサブバンド領域が事前に複数のサブバンド領域セットに分類され、1つのサブバンド領域セットが少なくとも1つのサブバンド領域を含み、第1のサブバンド領域の識別子情報は、第1のサブバンド領域が属するサブバンド領域セットの識別子とサブバンド領域セット内の第1のサブバンド領域のサブ識別子とを含み、または
測定パイロット信号が複数の連続したサブバンド領域を使用して伝送される場合、第1のサブバンド領域の識別子情報は、複数の連続したサブバンド領域内の開始サブバンド領域の識別子と連続したサブバンド領域の数とに基づいて生成され、または
システム帯域幅はX個のサブバンド領域を含み、第1のサブバンド領域はX個のサブバンド領域内のY番目のサブバンド領域であり、第1のサブバンド領域の識別子情報はYに対応する2進数であり、Yは自然数である。
【００５０】
第8の態様の第2の可能な実施態様に関連して、第4の可能な実施態様において、第1のサブバンド領域はW個のサブバンドを含み、第1のサブバンド領域内の第2のサブバンドのサブ識別子情報はWビットのデータを含み、Wビットのデータの配列順序がW個のサブバンドの配列順序に対応しており、第2のサブバンドに対応するデータビットが第1の識別子に設定され、第2のサブバンドを除くW個のサブバンド内の各サブバンドに対応するデータビットが第2の識別子に設定され、第1の識別子は測定パイロット信号を伝送するために使用されるサブバンドを表し、第2の識別子は測定パイロット信号を伝送するために使用されないサブバンドを表し、Wは自然数であり、または
測定パイロット信号が複数の連続した第2のサブバンドを使用して伝送される場合、第1のサブバンド領域内の第2のサブバンドのサブ識別子情報は、複数の連続したサブバンド領域内の開始サブバンドの識別子と連続したサブバンド領域の数とに基づいて生成され、または
第1のサブバンド領域はW個のサブバンドを含み、第2のサブバンドはW個のサブバンド内のP番目のサブバンドであり、第1のサブバンド領域内の第2のサブバンドのサブ識別子情報はPに対応する2進数であり、Pは自然数であり、または
第1のサブバンド領域に含まれる複数のサブバンドが事前に複数のサブバンドセットに分類され、1つのサブバンドセットが少なくとも1つのサブバンドを含み、第1のサブバンド領域内の第2のサブバンドのサブ識別子情報は、第2のサブバンドが属するサブバンドセットの識別子とサブバンドセット内の第2のサブバンドのサブ識別子とを含む。
【００５１】
第8の態様、または第8の態様の第1の可能な実施態様、第2の可能な実施態様、もしくは第3の可能な実施態様に関連して、第4の可能な実施態様において、測定パイロット信号は、下り測定パイロット信号または上り測定パイロット信号である。
【００５２】
以上から、本出願の実施形態では、まず、第1の機器が全システム帯域幅を異なるサブバンドに分割し、各サブバンドが少なくとも1つのPRBを占有することが分かる。次いで、全システムから、第1の機器は、測定パイロット信号を伝送するために使用される第1のサブバンドを決定し、第1のサブバンドの識別子情報を第2の機器に送信する。最後に、第1の機器は、測定パイロット信号を第1のサブバンドに対応するPRBに埋め込み、測定パイロット信号が埋め込まれたPRBを第2の機器に送信する。これに対応して、第2の機器は、第1のサブバンドの識別子に基づいて複数の受信PRBから測定パイロット信号を復調し得る。本出願の実施形態において開示される方法では、測定パイロット信号が部分帯域幅で伝送され得ることが分かる。
【図面の簡単な説明】
【００５３】
【図１】本出願の一実施形態による測定パイロット信号を伝送するための方法の概略的流れ図である。
【図２】本出願の一実施形態によるサブバンド識別子の送信の概略図である。
【図３】本出願の一実施形態による測定パイロット信号を伝送するための方法の別の概略的流れ図である。
【図４】本出願の一実施形態による測定パイロット信号を伝送するための方法の別の概略的流れ図である。
【図５】本出願の一実施形態による測定パイロット信号を伝送するための機器の概略的構造図である。
【図６】本出願の一実施形態による測定パイロット信号を伝送するための機器の別の概略的構造図である。
【図７】本出願の一実施形態による測定パイロット信号を伝送するための機器の別の概略的構造図である。
【図８】本出願の一実施形態による測定パイロット信号を伝送するための機器の別の概略的構造図である。
【発明を実施するための形態】
【００５４】
以下で、本出願の実施形態における添付の図面に関連して、本出願の実施形態における技術的解決策を明確かつ十分に説明する。
【００５５】
本出願の実施形態は、測定パイロット信号を伝送するための方法および機器を提供する。まず、本出願の適用シナリオを説明する。
【００５６】
1．本出願の実施形態は下り測定パイロット信号伝送に適用され得る。具体的な適用シナリオは以下のとおりである。既存のLTEシステムにおいて、基地局は通常、下りチャネルの状態情報の推定のための下り測定パイロット信号（例えば、LTE Release10のCSI−RS）を送信して、UEのリソーススケジューリングを支援する。既存のLTEシステムでは、基地局によって送信される下り測定パイロット信号は全帯域幅で伝送される。言い換えると、下り測定パイロット信号は、LTEシステムの全システム帯域幅で伝送される。LTEシステムにおいて、LTEシステムのシステム帯域幅は通常、複数のPRB（Physical Resource Block、物理リソースブロック）を占有する。したがって、既存のLTEシステムでは、下り測定パイロット信号は、LTEシステム帯域幅の各PRBに埋め込まれる必要がある。しかしながら、将来の5G通信システムでは、端末によるデータ処理の複雑さを低減させるために、端末は部分帯域幅でのみデータを送信すると規定される可能性があり、これらの端末では、端末は部分帯域幅で下り測定パイロット信号を送信するように構成されさえすればよい。加えて、将来の5G通信システムでは、複数のサービスが1つのシステム帯域幅で伝送されるように組み合わされる。1タイプのサービスのみを送信する端末では、そのデータ伝送は部分帯域幅のみを占有する。そのような端末でも、端末はデータを伝送するために部分帯域幅で下り測定パイロット信号を送信しさえすればよい。
【００５７】
2．本出願の実施形態は上り測定パイロット信号伝送に適用され得る。具体的な適用シナリオは以下のとおりである。既存のLTEシステムにおいて、端末は通常、上りチャネルの状態情報の推定のための上り測定パイロット信号（例えば、LTE Release10のSRS）を送信する。既存のLTEシステムでは、基地局によって送信される上り測定パイロット信号は全帯域幅または部分帯域幅で伝送される。上り測定パイロット信号が全帯域幅で伝送される場合、上り測定パイロット信号は全システム帯域幅によって占有されるすべてのPRBに埋め込まれる。この方法は、将来の5Gシステムにおけるシステム帯域幅の一部のPRBで上り測定パイロット信号を伝送することに対する要件を満たすことができる。上り測定パイロット信号が部分帯域幅で伝送される場合、上り測定パイロット信号が全システム帯域幅の連続した固定されたPRBで伝送されることが、通常は、基地局と端末とによって事前に同意される。このようにして、上り測定パイロット信号は不連続のPRBでは伝送され得ない。
【００５８】
実施形態1
前述の適用シナリオに基づき、本出願の本実施形態は、測定パイロット信号を伝送するための方法を提供する。本方法は、上り測定パイロット信号伝送と下り測定パイロット信号伝送の両方に適用され得る。本出願の本実施形態で提供される方法が上り測定パイロット信号伝送に適用される場合、本出願の本実施形態では第1の機器が基地局であり、第2の機器がユーザ機器である。本出願の本実施形態で提供される方法が下り測定パイロット信号伝送に適用される場合、本出願の本実施形態では第1の機器がユーザ機器であり、第2の機器が基地局である。図1に示されるように、本出願の本実施形態で提供される測定パイロット信号を伝送するための方法は、具体的には以下のとおりである。
【００５９】
ステップS11：第1の機器が全システム帯域幅によって占有されるすべてのPRBを異なるサブバンドに分割し、1つのサブバンドが少なくとも1つのPRBを占有し得る。
【００６０】
本出願の本実施形態では、サブバンド粒度が事前設定されてもよく（サブバンド粒度は各サブバンドによって占有されるPRBの数である）、その場合サブバンド分割は事前設定されたサブバンド粒度に基づいて行われる。例えば、全システム帯域幅が100個のPRBを占有し、事前設定されたサブバンド粒度が5個のPRBである場合、全システム帯域幅は20個のサブバンドに分割され得る。本出願の本実施形態では、サブバンド粒度は、システム帯域幅、チャネル状態情報フィードバック粒度（例えば、LTEにおけるCQIやPMIなどのチャネル情報状態フィードバック）、基地局によるリソーススケジューリングの粒度、およびPRB bundling（PRB bundlingは、端末による結合チャネル推定のためのPRBの数である）のうちの1つまたは複数に関連し得る。本出願の本実施形態では、サブバンド粒度とシステム帯域幅との間に正の相関がある。具体的には、システム帯域幅が広いほどサブバンド粒度が粗いことを示す。しかしながら、サブバンド粒度とチャネル状態フィードバック粒度、すなわち、基地局によるリソーススケジューリングの粒度、またはPRB bundlingとの間には整数倍関係がある。
【００６１】
ステップS12：第1の機器は、全システム帯域幅に含まれる複数のサブバンドから、測定パイロット信号を伝送するために使用される第1のサブバンドを決定する。
【００６２】
本出願の本実施形態では、ユーザが、実際の要件に基づいて、測定パイロット信号を伝送するために使用されるサブバンドを設定し得る。本出願の本実施形態では、区別と説明を容易にするために、測定パイロット信号を伝送するために使用されるサブバンドを第1のサブバンドと呼ぶ。
【００６３】
ステップS13：第1の機器は、第1のサブバンドの識別子情報を第2の機器に送信する。
【００６４】
本出願の本実施形態では、第1のサブバンドの識別子を決定する方法については、実施形態2の説明を参照されたい。
【００６５】
ステップS14：第1の機器は、測定パイロット信号を第1のサブバンドに対応するPRBに埋め込み、測定パイロット信号が埋め込まれたPRBを第2の機器に送信する。
【００６６】
本出願の本実施形態では、具体的には、第1のサブバンドに対応するPRBに測定パイロット信号を埋め込むために先行技術の方法が使用され得る。以上の説明から、第1のサブバンドは少なくとも1つのPRBを含み得ることが分かる。本出願の本実施形態では、測定パイロット信号は、具体的には、第1のサブバンドに対応するすべてのPRBに埋め込まれ得る。例えば、本出願の本実施形態では、第1のサブバンドが5PRBを含む場合、測定パイロット信号は、具体的には、第1のサブバンドに含まれる5PRBの各々に埋め込まれ得る。
【００６７】
ステップS15：第2の機器は、第1の機器によって送信された第1のサブバンドの識別子情報を受信し、第1のサブバンドは複数の物理リソースブロックを含み、各物理リソースブロックが測定パイロット信号を伝送するために使用される。
【００６８】
ステップS16：第2の機器は、第1のサブバンドの識別子情報に基づいて、測定パイロット信号を伝送するために使用される物理リソースブロックを決定する。
【００６９】
ステップS17：第2の機器は、決定された物理リソースブロックで、第1の機器によって送信された測定パイロット信号を受信する。
【００７０】
本出願の本実施形態では、例えば、全システム帯域幅が100個のPRBを占有する場合、第1の機器は100個の連続したPRBでデータを送信する。言い換えると、時間領域において、第1の機器は一度に100個のPRBを送信する。この場合、第2の機器は、まず、100個のPRBを、第1の機器を事前折衝されたサブバンド分割方法で複数のサブバンドに分割し得る。例えば、上述したように、全システム帯域幅は20個のサブバンドにさらに分割され、各サブバンドは5個のPRBを含み、測定パイロット信号を伝送するために使用される第1のサブバンドの、第1の機器によって送信される識別子は3である。本出願の本実施形態では、第2の機器は20個のサブバンド、サブバンド1、サブバンド2、…、およびサブバンド20を順次に配置し、次いで、サブバンド3に対応するPRBから測定パイロット信号を復調する。
【００７１】
以上から、本出願の本実施形態では、まず、第1の機器が全システム帯域幅を異なるサブバンドに分割し、各サブバンドが少なくとも1つのPRBを占有することが分かる。次いで、全システムから、第1の機器は、測定パイロット信号を伝送するために使用される第1のサブバンドを決定し、第1のサブバンドの識別子情報を第2の機器に送信する。最後に、第1の機器は、測定パイロット信号を第1のサブバンドに対応するPRBに埋め込み、測定パイロット信号が埋め込まれたPRBを第2の機器に送信する。これに対応して、第2の機器は、第1のサブバンドの識別子に基づいて複数の受信PRBから測定パイロット信号を復調し得る。本出願の本実施形態において開示される方法では、測定パイロット信号が部分帯域幅で伝送され得ることが分かる。加えて、固定されたPRBで上り測定パイロット信号を送信する既存の方法と比較して、本出願の方法はより柔軟である。
【００７２】
実施形態2
本出願の本実施形態では、第1の機器が実施形態1における第1のサブバンドの識別子をどのように送信するかをさらに説明する。具体的には、以下のいくつかの方法が提供される。
【００７３】
方法1：全システム帯域幅がN個のサブバンドを含む場合、第1のサブバンドの識別子情報はNビットのデータを含み、Nビットのデータの配列順序がN個のサブバンドの配列順序に対応しており、
第1のサブバンドに対応するデータビットが第1の識別子に設定され、第1のサブバンドを除くN個のサブバンド内の各サブバンドに対応するデータビットが第2の識別子に設定され、第1の識別子は測定パイロット信号を伝送するために使用されるサブバンドを表し、第2の識別子は測定パイロット信号を伝送するために使用されないサブバンドを表し、Nは自然数である。
【００７４】
例えば、全システム帯域幅が10個のサブバンド、サブバンド1、サブバンド2、サブバンド3、…、およびサブバンド10を含み、測定パイロット信号がサブバンド1とサブバンド3とで伝送されると判断される場合、第1のサブバンドの識別子情報は具体的には10ビットを含むことができ、第1ビットおよび第3ビットが第1の識別子を担い、第2ビットおよび第4ビットから第10ビットが第2の識別子を担う。本出願の本実施形態では、第1の識別子が1であり、第2の識別子が0である場合、第1のサブバンドの識別子情報は具体的には1010000000であり得る。
【００７５】
方法2：第1の機器は事前に全システムに含まれる複数のサブバンドを異なるサブバンドセットに分割し、1つサブバンドセットは少なくとも1つのサブバンドを含み、第1のサブバンドの識別子情報は、第1のサブバンドが属するサブバンドセットの識別子とサブバンドセット内の第1のサブバンドのサブ識別子とを特に含み得る。
【００７６】
本出願の本実施形態では、上述したように、全システム帯域幅が10個のサブバンド、サブバンド1、サブバンド2、サブバンド3、…、およびサブバンド10をさらに含む場合、10個のサブバンドは複数のサブバンドセットに分類されてよく、ユーザは実際の用途に応じてサブバンドセットの粒度を設定し得る。例えば、サブバンドセットの粒度が2である場合、10個のサブバンドは5個のサブバンドセットに分類されてよく、1つのサブバンドセットは2つのサブバンドを含む。詳細については、図2を参照されたい。この場合、測定パイロット信号がサブバンド9で伝送される必要がある場合、第1のサブバンドの識別子は具体的には10010であり得る。この場合、最初の3ビット100はサブバンドセット5に対応しており、10はサブバンドセット5内のサブバンド9のサブ識別子を表す。
【００７７】
方法3：本出願の本実施形態では、第1の機器が複数の連続したサブバンドを使用して測定パイロット信号を送信する場合、第1のサブバンドの識別子情報は、複数の連続したサブバンド内の開始サブバンドの識別子と連続したサブバンドの数とに基づいて特に生成され得る。
【００７８】
本出願の本実施形態では、測定パイロット信号を伝送するために使用される複数の連続したサブバンド内の開始サブバンドがN＿RBstartであり、連続したサブバンドの数がLCRBsである場合、第1のサブバンドの識別子情報RIVと、N＿RBstartと、LCRBsとの間の関係は以下のとおりである。
if
【数１】
2020503774.tif 000003
then
RIV＝M（LCRBs−1）＋N＿RBstart
else
RIV＝M（M−LCRBs＋1）＋（M−1−N＿RBstart）
where LCRBs≧1 and shall not exceed M−N＿RBstart、
Mは、全システムに含まれるサブバンドの数を表す。
【００７９】
本出願の本実施形態では、全システムが10個のサブバンドを含み、測定パイロット信号がサブバンド2およびサブバンド3で伝送されると判断される場合、N＿RBstart＝2およびLCRBs＝12が決定され得る。この場合、M＝10、N＿RBstart＝2、およびLCRBs＝2が前述の式に代入されてRIV＝12が求められ、12に対応する2進数001100が第1のサブバンドの識別子として使用され得る。
【００８０】
方法4：本出願の本実施形態では、全システム帯域幅がN個のサブバンドを含む場合、第1のサブバンドはN個のサブバンド内のM番目のサブバンドであり、第1のサブバンドの識別子情報はMに対応する2進数である。
【００８１】
本出願の本実施形態では、上述したように、全システムが10個のサブバンドをさらに含み、測定パイロット信号を伝送するためにサブバンド8が使用されると判断される場合、第1のサブバンドの識別子情報は具体的には0111である（0111は10進数8に対応する2進数である）。
【００８２】
本出願の本実施形態では、ユーザは、必要に応じて、第1のサブバンドの識別子を決定するために前述の方法のいずれか1つを選択し得るので、第1のサブバンドが柔軟に識別され得る。
【００８３】
実施形態3
本出願の本実施形態は、測定パイロット信号を伝送するための方法をさらに提供する。本方法もまた、上り測定パイロット信号伝送と下り測定パイロット信号伝送の両方に適用され得る。本出願の本実施形態で提供される方法が上り測定パイロット信号伝送に適用される場合、本出願の本実施形態では第1の機器が基地局であり、第2の機器がユーザ機器である。本出願の本実施形態で提供される方法が下り測定パイロット信号伝送に適用される場合、本出願の本実施形態では第1の機器がユーザ機器であり、第2の機器が基地局である。図3に示されるように、本出願の本実施形態で提供される測定パイロット信号を伝送するための方法は、具体的には以下のとおりである。
【００８４】
ステップS31：第1の機器が全システム帯域幅によって占有されるすべてのPRBを異なるサブバンドに分割し、1つのサブバンドが少なくとも1つのPRBを占有し得る。
【００８５】
本出願の本実施形態では、サブバンド分割については、実施形態1の説明を参照されたい。ここでは詳細を繰り返さない。
【００８６】
ステップS32：第1の機器は、全システム帯域幅に含まれる複数のサブバンドから、測定パイロット信号を伝送するために使用される第1のサブバンド領域を決定し、1つのサブバンド領域は少なくとも1つのサブバンドを含む。
【００８７】
本出願の本実施形態では、第1の機器は、事前に、全システム帯域幅において測定パイロット信号を伝送するための部分帯域幅を計画し得る。例えば、全システム帯域幅が10個のサブバンドを含み、第1の機器が10個のサブバンドにおいて測定パイロット信号を伝送するためのサブバンド6からサブバンド10を計画し得る場合、サブバンド6からサブバンド10はステップS32の第1のサブバンド領域である。
【００８８】
ステップS33：第1の機器は、第1のサブバンド領域の識別子情報を第2の機器に送信する。
【００８９】
本出願の本実施形態では、第1のサブバンド領域は具体的には、以下の方法を使用して識別され得る。
【００９０】
方法1：全システム帯域幅がX個のサブバンド領域を含む場合、第1のサブバンド領域の識別子情報は具体的にはXビットのデータを含むことができ、Xビットのデータの配列順序がX個のサブバンド領域の配列順序に対応しており、第1のサブバンド領域に対応するデータビットが第1の識別子に設定され、第1のサブバンド領域を除くX個のサブバンド領域内の各サブバンド領域に対応するデータビットが第2の識別子に設定され、第1の識別子は測定パイロット信号を伝送するために使用されるサブバンド領域を表し、第2の識別子は測定パイロット信号を伝送するために使用されないサブバンド領域を表し、Xは自然数である。
【００９１】
方法2：第1の機器は、事前に全システム帯域幅に含まれる複数のサブバンド領域を複数のサブバンド領域セットに分類し、1つのサブバンド領域セットが少なくとも1つのサブバンド領域を含み、第1のサブバンド領域の識別子情報は具体的には、第1のサブバンド領域が属するサブバンド領域セットの識別子とサブバンド領域セット内の第1のサブバンド領域のサブ識別子とを含み得る。
【００９２】
方法3：第1の機器が複数の連続したサブバンド領域を使用して測定パイロット信号を送信する場合、第1のサブバンド領域の識別子情報は、複数の連続したサブバンド領域内の開始サブバンド領域の識別子と連続したサブバンド領域の数とに基づいて生成される。
【００９３】
方法4：全システム帯域幅がX個のサブバンド領域を含む場合、第1のサブバンド領域はX個のサブバンド領域内のY番目のサブバンド領域であり、第1のサブバンド領域の識別子情報はYに対応する2進数であり、Yは自然数である。
【００９４】
本出願の本実施形態では、以上の4つの方法については、実施形態2の説明を参照されたい。ここでは詳細を繰り返さない。
【００９５】
ステップS34：第1の機器は、事前設定規則に従って、測定パイロット信号を第1のサブバンド領域に対応する少なくとも1つの物理リソースブロックに埋め込み、測定パイロット信号を第2の機器に送信する。
【００９６】
本出願の本実施形態では、ユーザが実際の要件に基づいて事前設定規則を設定し得る。例えば、事前設定規則は、測定パイロット信号が第1のサブバンド領域内の固定されたサブバンドで伝送されると規定してもよく、または事前設定規則は、測定パイロット信号が順に第1のサブバンド領域内のすべてのサブバンドで伝送されると規定してもよい。例えば、第1のサブバンド領域が5個のサブバンドを含む場合、事前設定規則は具体的には、測定パイロット信号が前述の5個のサブバンド内の第2のサブバンドで伝送されるか、または測定パイロット信号が順に5個すべてのサブバンドで送信されると規定し得る。
【００９７】
ステップS35：第2の機器は、第1のサブバンド領域の識別子情報に基づき、事前設定規則に従って、複数の物理リソースブロックから測定パイロット信号を復調する。
【００９８】
以上の説明から、本出願の本実施形態では、第1の機器は、第1のサブバンド領域の識別子情報を第2の機器に1回だけ送信しさえすればよく、第1のサブバンド領域の識別子情報によって占有されるビット数は第1のサブバンドの識別子情報によって占有されるビット数より少ないことが分かる。したがって、本出願で開示される方法を使用すればシステムオーバーヘッドを低減させることができる。
【００９９】
実施形態4
本出願の本実施形態は、測定パイロット信号を伝送するための方法をさらに提供する。本方法もまた、上り測定パイロット信号伝送と下り測定パイロット信号伝送の両方に適用され得る。本出願の本実施形態で提供される方法が上り測定パイロット信号伝送に適用される場合、本出願の本実施形態では第1の機器が基地局であり、第2の機器がユーザ機器である。本出願の本実施形態で提供される方法が下り測定パイロット信号伝送に適用される場合、本出願の本実施形態では第1の機器がユーザ機器であり、第2の機器が基地局である。図4に示されるように、本出願の本実施形態で提供される測定パイロット信号を伝送するための方法は、具体的には以下のとおりである。
【０１００】
ステップS41：第1の機器が全システム帯域幅によって占有されるすべてのPRBを異なるサブバンドに分割し、1つのサブバンドが少なくとも1つのPRBを占有し得る。
【０１０１】
本出願の本実施形態では、サブバンド分割については、実施形態1の説明を参照されたい。ここでは詳細を繰り返さない。
【０１０２】
ステップS42：第1の機器は、全システム帯域幅に含まれる複数のサブバンドから、測定パイロット信号を伝送するために使用される第1のサブバンド領域を決定し、1つのサブバンド領域は少なくとも1つのサブバンドを含む。
【０１０３】
本出願の本実施形態では、第1のサブバンド領域については、実施形態3の説明を参照されたい。ここでは詳細を繰り返さない。
【０１０４】
ステップS43：第1の機器は、第1のサブバンド領域の識別子情報を第2の機器に送信する。
【０１０５】
本出願の本実施形態では、第1のサブバンド領域は具体的には、以下の方法を使用して識別され得る。
【０１０６】
方法1：全システム帯域幅がX個のサブバンド領域を含む場合、第1のサブバンド領域の識別子情報は具体的にはXビットのデータを含むことができ、Xビットのデータの配列順序がX個のサブバンド領域の配列順序に対応しており、第1のサブバンド領域に対応するデータビットが第1の識別子に設定され、第1のサブバンド領域を除くX個のサブバンド領域内の各サブバンド領域に対応するデータビットが第2の識別子に設定され、第1の識別子は測定パイロット信号を伝送するために使用されるサブバンド領域を表し、第2の識別子は測定パイロット信号を伝送するために使用されないサブバンド領域を表し、Xは自然数である。
【０１０７】
方法2：第1の機器は、事前に全システム帯域幅に含まれる複数のサブバンド領域を複数のサブバンド領域セットに分類し、1つのサブバンド領域セットが少なくとも1つのサブバンド領域を含み、第1のサブバンド領域の識別子情報は具体的には、第1のサブバンド領域が属するサブバンド領域セットの識別子とサブバンド領域セット内の第1のサブバンド領域のサブ識別子とを含み得る。
【０１０８】
方法3：第1の機器が複数の連続したサブバンド領域を使用して測定パイロット信号を送信する場合、第1のサブバンド領域の識別子情報は、複数の連続したサブバンド領域内の開始サブバンド領域の識別子と連続したサブバンド領域の数とに基づいて生成される。
【０１０９】
方法4：全システム帯域幅がX個のサブバンド領域を含む場合、第1のサブバンド領域はX個のサブバンド領域内のY番目のサブバンド領域であり、第1のサブバンド領域の識別子情報はYに対応する2進数であり、Yは自然数である。
【０１１０】
本出願の本実施形態では、以上の4つの方法については、実施形態2の説明を参照されたい。ここでは詳細を繰り返さない。
【０１１１】
ステップS44：第1の機器は、第1のサブバンド領域から、測定パイロット信号を伝送するために使用される第2のサブバンドを決定する。
【０１１２】
ステップS45：第1の機器は、第1のサブバンド領域内の第2のサブバンドのサブ識別子を第2の機器に送信する。
【０１１３】
本出願の本実施形態では、第1のサブバンド領域内の第2のサブバンドのサブ識別子は具体的には、以下の方法で決定され得る。
【０１１４】
方法1：第1のサブバンド領域がW個のサブバンドを含む場合、第1のサブバンド領域内の第2のサブバンドのサブ識別子情報はWビットのデータを含み、Wビットのデータの配列順序がW個のサブバンドの配列順序に対応しており、第2のサブバンドに対応するデータビットが第1の識別子に設定され、第2のサブバンドを除くW個のサブバンド内の各サブバンドに対応するデータビットが第2の識別子に設定され、第1の識別子は測定パイロット信号を伝送するために使用されるサブバンドを表し、第2の識別子は測定パイロット信号を伝送するために使用されないサブバンドを表し、Wは自然数である。
【０１１５】
方法2：第1の機器が複数の連続した第2のサブバンドを使用して測定パイロット信号を送信する場合、第1のサブバンド領域内の第2のサブバンドのサブ識別子情報は、複数の連続したサブバンド領域内の開始サブバンドの識別子と連続したサブバンド領域の数とに基づいて生成される。
【０１１６】
方法3：第1のサブバンド領域がW個のサブバンドを含み、第2のサブバンドがW個のサブバンド内のP番目のサブバンドである場合、第1のサブバンド領域内の第2のサブバンドのサブ識別子情報はPに対応する2進数であり、Pは自然数である。
【０１１７】
方法4：第1の機器は事前に、第1のサブバンド領域に含まれる複数のサブバンドを複数のサブバンドセットに分類し、1つのサブバンドセットが少なくとも1つのサブバンドを含み、第1のサブバンド領域内の第2のサブバンドのサブ識別子情報は、第2のサブバンドが属するサブバンドセットの識別子とサブバンドセット内の第2のサブバンドのサブ識別子とを含む。
【０１１８】
ステップS46：第1の機器は、測定パイロット信号を第2のサブバンドに埋め込み、測定パイロット信号が埋め込まれた第2のサブバンドを第2の機器に送信する。
【０１１９】
ステップS47：第2の機器は、第1のサブバンド領域の識別子と第2のサブバンドのサブ識別子とに基づいて複数の物理リソースブロックから測定パイロット信号を復調する。
【０１２０】
以上の説明から、本出願の本実施形態では、第1の機器は、第1のサブバンド領域の識別子を第2の機器にまず送信し、次いで第1の機器は、第1のサブバンド領域内の第2のサブバンドのサブ識別子を第2の機器に送信することが分かる。本出願の本実施形態の方法では、第2のサブバンドの識別子を送信するためのオーバーヘッドが、測定パイロット信号伝送の柔軟性を確保しながら低減され得る。
【０１２１】
実施形態5
前述の考え方と同様に、図5に示されるように、本出願の本実施形態は、測定パイロット信号を伝送するための機器をさらに提供し、本機器は、
全システム帯域幅に含まれる複数のサブバンドから、測定パイロット信号を伝送するために使用される第1のサブバンドを決定し、測定パイロット信号を第1のサブバンドに対応する物理リソースブロックに埋め込むように構成された第1のプロセッサ51であって、1つのサブバンドが少なくとも1つの物理リソースブロックを含む、第1のプロセッサ51と、
第1のサブバンドの識別子情報を第2の機器に送信し、測定パイロット信号を第2の機器に送信するように構成された、第1の送受信機52と、を含む。
【０１２２】
具体的には、システム帯域幅はN個のサブバンドを含み、第1のサブバンドの識別子情報はNビットのデータを含み、Nビットのデータの配列順序がN個のサブバンドの配列順序に対応しており、第1のサブバンドに対応するデータビットが第1の識別子に設定され、第1のサブバンドを除くN個のサブバンド内の各サブバンドに対応するデータビットが第2の識別子に設定され、第1の識別子は測定パイロット信号を伝送するために使用されるサブバンドを表し、第2の識別子は測定パイロット信号を伝送するために使用されないサブバンドを表し、Nは自然数であり、または
システム帯域幅に含まれる複数のサブバンドは事前に複数のサブバンドセットに分類され、1つのサブバンドセットは少なくとも1つのサブバンドを含み、第1のサブバンドの識別子情報は、第1のサブバンドが属するサブバンドセットの識別子とサブバンドセット内の第1のサブバンドのサブ識別子とを含み、または
測定パイロット信号が複数の連続したサブバンドを使用して伝送される場合、第1のサブバンドの識別子情報は、複数の連続したサブバンド内の開始サブバンドの識別子と連続したサブバンドの数とに基づいて生成され、または
システム帯域幅はN個のサブバンドを含み、第1のサブバンドはN個のサブバンド内のM番目のサブバンドであり、第1のサブバンドの識別子情報はMに対応する2進数である。
【０１２３】
具体的には、測定パイロット信号は、下り測定パイロット信号または上り測定パイロット信号である。
【０１２４】
前述の概念と同様に、図6に示されるように、本出願の本実施形態は、測定パイロット信号を伝送するための機器をさらに提供し、本機器は、
第1の機器によって送信された第1のサブバンドの識別子情報を受信し、決定された物理リソースブロックで測定パイロット信号を受信するように構成された第2の送受信機61であって、第1のサブバンドは複数の物理リソースブロックを含み、各物理リソースブロックが測定パイロット信号を伝送するために使用される、第2の送受信機61と、
第1のサブバンドの識別子情報に基づいて、測定パイロット信号を伝送するために使用される物理リソースブロックを決定するように構成された、第2のプロセッサ62と、を含む。
【０１２５】
具体的には、システム帯域幅はN個のサブバンドを含み、第1のサブバンドの識別子情報はNビットのデータを含み、Nビットのデータの配列順序がN個のサブバンドの配列順序に対応しており、第1のサブバンドに対応するデータビットが第1の識別子に設定され、第1のサブバンドを除くN個のサブバンド内の各サブバンドに対応するデータビットが第2の識別子に設定され、第1の識別子は測定パイロット信号を伝送するために使用されるサブバンドを表し、第2の識別子は測定パイロット信号を伝送するために使用されないサブバンドを表し、Nは自然数であり、または
第1のサブバンドの識別子情報は、第1のサブバンドが属するサブバンドセットの識別子とサブバンドセット内の第1のサブバンドのサブ識別子とを含み、サブバンドセットは少なくとも第1のサブバンドを含み、または
測定パイロット信号が複数の連続したサブバンドで伝送される場合、第1のサブバンドの識別子情報は、複数の連続したサブバンド内の開始サブバンドの識別子と連続したサブバンドの数とに基づいて生成され、または
システム帯域幅はN個のサブバンドを含み、第1のサブバンドはN個のサブバンド内のM番目のサブバンドであり、第1のサブバンドの識別子情報はMに対応する2進数である。
【０１２６】
具体的には、測定パイロット信号は、下り測定パイロット信号または上り測定パイロット信号である。
【０１２７】
前述の概念と同様に、図7に示されるように、本出願の本実施形態は、測定パイロット信号を伝送するための機器をさらに提供し、本機器は、
システム帯域幅に含まれる複数のサブバンドから、測定パイロット信号を伝送するために使用される第1のサブバンド領域を決定し、測定パイロット信号を第1のサブバンド領域に対応する少なくとも1つの物理リソースブロックに埋め込むように構成された第3のプロセッサ71であって、1つのサブバンドが少なくとも1つの物理リソースブロックを含み、第1のサブバンド領域が少なくとも1つのサブバンドを含む、第3のプロセッサ71と、
第1のサブバンド領域の識別子情報および測定パイロット信号を第2の機器に送信するように構成された、第3の送受信機72と、を含む。
【０１２８】
具体的には、測定パイロット信号を第1のサブバンド領域に対応する少なくとも1つの物理リソースブロックに埋め込むときに、第3のプロセッサは、事前設定規則に従って、測定パイロット信号を、第1のサブバンド領域に対応する少なくとも1つの物理リソースブロックに埋め込むように特に構成される。
【０１２９】
具体的には、測定パイロット信号を第1のサブバンド領域に対応する少なくとも1つの物理リソースブロックに埋め込むときに、第3のプロセッサは、第1のサブバンド領域から、測定パイロット信号を伝送するために使用される第2のサブバンドを決定し、測定パイロット信号を第2のサブバンドに対応する少なくとも1つの物理リソースブロックに埋め込むように特に構成され、第3の受信機は、第1のサブバンド領域内の第2のサブバンドのサブ識別子および測定パイロット信号を第2の機器に送信するようにさらに構成される。
【０１３０】
具体的には、システム帯域幅はX個のサブバンド領域を含み、第1のサブバンド領域の識別子情報はXビットのデータを含み、Xビットのデータの配列順序がX個のサブバンド領域の配列順序に対応しており、第1のサブバンド領域に対応するデータビットが第1の識別子に設定され、第1のサブバンド領域を除くX個のサブバンド領域内の各サブバンド領域に対応するデータビットが第2の識別子に設定され、第1の識別子は測定パイロット信号を伝送するために使用されるサブバンド領域を表し、第2の識別子は測定パイロット信号を伝送するために使用されないサブバンド領域を表し、Xは自然数であり、または
システム帯域幅に含まれる複数のサブバンド領域が事前に複数のサブバンド領域セットに分類され、1つのサブバンド領域セットが少なくとも1つのサブバンド領域を含み、第1のサブバンド領域の識別子情報は、第1のサブバンド領域が属するサブバンド領域セットの識別子とサブバンド領域セット内の第1のサブバンド領域のサブ識別子とを含み、または
測定パイロット信号が複数の連続したサブバンド領域を使用して伝送される場合、第1のサブバンド領域の識別子情報は、複数の連続したサブバンド領域内の開始サブバンド領域の識別子と連続したサブバンド領域の数とに基づいて生成され、または
システム帯域幅はX個のサブバンド領域を含み、第1のサブバンド領域はX個のサブバンド領域内のY番目のサブバンド領域であり、第1のサブバンド領域の識別子情報はYに対応する2進数であり、Yは自然数である。
【０１３１】
具体的には、第1のサブバンド領域がW個のサブバンドを含む場合、第1のサブバンド領域内の第2のサブバンドのサブ識別子情報はWビットのデータを含み、Wビットのデータの配列順序がW個のサブバンドの配列順序に対応しており、第2のサブバンドに対応するデータビットが第1の識別子に設定され、第2のサブバンドを除くW個のサブバンド内の各サブバンドに対応するデータビットが第2の識別子に設定され、第1の識別子は測定パイロット信号を伝送するために使用されるサブバンドを表し、第2の識別子は測定パイロット信号を伝送するために使用されないサブバンドを表し、Wは自然数であり、または
測定パイロット信号が複数の連続した第2のサブバンドを使用して伝送される場合、第1のサブバンド領域内の第2のサブバンドのサブ識別子情報は、複数の連続したサブバンド領域内の開始サブバンドの識別子と連続したサブバンド領域の数とに基づいて生成され、または
第1のサブバンド領域はW個のサブバンドを含み、第2のサブバンドはW個のサブバンド内のP番目のサブバンドであり、第1のサブバンド領域内の第2のサブバンドのサブ識別子情報はPに対応する2進数であり、Pは自然数であり、または
第1のサブバンド領域に含まれる複数のサブバンドが事前に複数のサブバンドセットに分類され、1つのサブバンドセットが少なくとも1つのサブバンドを含み、
第1のサブバンド領域内の第2のサブバンドのサブ識別子情報は、第2のサブバンドが属するサブバンドセットの識別子とサブバンドセット内の第2のサブバンドのサブ識別子とを含む。
【０１３２】
具体的には、測定パイロット信号は、下り測定パイロット信号または上り測定パイロット信号である。
【０１３３】
前述の概念と同様に、図8に示されるように、本出願の本実施形態は、測定パイロット信号を伝送するための機器をさらに提供し、本機器は、
第1の機器によって送信された第1のサブバンド領域の識別子情報を受信し、決定された物理リソースブロックで測定パイロット信号を受信するように構成された第4の送受信機81であって、第1のサブバンド領域が少なくとも1つのサブバンドを含み、1つのサブバンドが少なくとも1つの物理リソースブロックを含む、第4の送受信機81と、
第1のサブバンド領域の識別子情報に基づいて、測定パイロット信号を伝送するために使用される物理リソースブロックを決定するように構成された、第4のプロセッサ82と、を含む。
【０１３４】
具体的には、第1のサブバンド領域の識別子情報に基づいて、測定パイロット信号を伝送するために使用される物理リソースブロックを決定するときに、第4のプロセッサは、第1のサブバンド領域の識別子情報に基づき、事前設定規則に従って、測定パイロット信号を伝送するために使用される物理リソースブロックを決定するように特に構成される。
【０１３５】
具体的には、第4の送受信機は、第1のサブバンド領域内の第2のサブバンドの、第1の機器によって送信されたサブ識別子情報を受信し、第2のサブバンドが測定パイロット信号を伝送するために使用される、ようにさらに構成され、第1のサブバンド領域の識別子情報に基づいて、測定パイロット信号を伝送するために使用される物理リソースブロックを決定するときに、第4のプロセッサは、第1のサブバンド領域の識別子と第2のサブバンドのサブ識別子とに基づいて、測定パイロット信号を伝送するために使用される物理リソースブロックを決定するように特に構成される。
【０１３６】
具体的には、システム帯域幅はX個のサブバンド領域を含み、第1のサブバンド領域の識別子情報はXビットのデータを含み、Xビットのデータの配列順序がX個のサブバンド領域の配列順序に対応しており、
第1のサブバンド領域に対応するデータビットが第1の識別子に設定され、第1のサブバンド領域を除くX個のサブバンド領域内の各サブバンド領域に対応するデータビットが第2の識別子に設定され、第1の識別子は測定パイロット信号を伝送するために使用されるサブバンド領域を表し、第2の識別子は測定パイロット信号を伝送するために使用されないサブバンド領域を表し、Xは自然数であり、または
システム帯域幅に含まれる複数のサブバンド領域が事前に複数のサブバンド領域セットに分類され、1つのサブバンド領域セットが少なくとも1つのサブバンド領域を含み、第1のサブバンド領域の識別子情報は、第1のサブバンド領域が属するサブバンド領域セットの識別子とサブバンド領域セット内の第1のサブバンド領域のサブ識別子とを含み、または
測定パイロット信号が複数の連続したサブバンド領域を使用して伝送される場合、第1のサブバンド領域の識別子情報は、複数の連続したサブバンド領域内の開始サブバンド領域の識別子と連続したサブバンド領域の数とに基づいて生成され、または
システム帯域幅はX個のサブバンド領域を含み、第1のサブバンド領域はX個のサブバンド領域内のY番目のサブバンド領域であり、第1のサブバンド領域の識別子情報はYに対応する2進数であり、Yは自然数である。
【０１３７】
具体的には、第1のサブバンド領域がW個のサブバンドを含む場合、第1のサブバンド領域内の第2のサブバンドのサブ識別子情報はWビットのデータを含み、Wビットのデータの配列順序がW個のサブバンドの配列順序に対応しており、第2のサブバンドに対応するデータビットが第1の識別子に設定され、第2のサブバンドを除くW個のサブバンド内の各サブバンドに対応するデータビットが第2の識別子に設定され、第1の識別子は測定パイロット信号を伝送するために使用されるサブバンドを表し、第2の識別子は測定パイロット信号を伝送するために使用されないサブバンドを表し、Wは自然数であり、または
測定パイロット信号が複数の連続した第2のサブバンドを使用して伝送される場合、第1のサブバンド領域内の第2のサブバンドのサブ識別子情報は、複数の連続したサブバンド領域内の開始サブバンドの識別子と連続したサブバンド領域の数とに基づいて生成され、または
第1のサブバンド領域はW個のサブバンドを含み、第2のサブバンドはW個のサブバンド内のP番目のサブバンドであり、第1のサブバンド領域内の第2のサブバンドのサブ識別子情報はPに対応する2進数であり、Pは自然数であり、または
第1のサブバンド領域に含まれる複数のサブバンドが事前に複数のサブバンドセットに分類され、1つのサブバンドセットが少なくとも1つのサブバンドを含み、第1のサブバンド領域内の第2のサブバンドのサブ識別子情報は、第2のサブバンドが属するサブバンドセットの識別子とサブバンドセット内の第2のサブバンドのサブ識別子とを含む。
【０１３８】
具体的には、測定パイロット信号は、下り測定パイロット信号または上り測定パイロット信号である。
【０１３９】
以上から、本出願の本実施形態では、まず、第1の機器が全システム帯域幅を異なるサブバンドに分割し、各サブバンドが少なくとも1つのPRBを占有することが分かる。次いで、全システムから、第1の機器は、測定パイロット信号を伝送するために使用される第1のサブバンドを決定し、第1のサブバンドの識別子情報を第2の機器に送信する。最後に、第1の機器は、測定パイロット信号を第1のサブバンドに対応するPRBに埋め込み、測定パイロット信号が埋め込まれたPRBを第2の機器に送信する。これに対応して、第2の機器は、第1のサブバンドの識別子に基づいて複数の受信PRBから測定パイロット信号を復調し得る。本出願の本実施形態において開示される方法では、測定パイロット信号が部分帯域幅で伝送され得ることが分かる。
【０１４０】
本出願の実施形態は、方法、システム、またはコンピュータプログラム製品として提供され得ることを当業者は理解するはずである。したがって、本出願は、ハードウェアのみの実施形態、ソフトウェアのみの実施形態、またはソフトウェアとハードウェアの組み合わせによる実施形態の形態を取り得る。さらに、本出願は、コンピュータ使用可能プログラムコードを含む（これに限定されないが、磁気ディスクメモリ、CD−ROM、光メモリなどを含む）1つまたは複数のコンピュータ使用可能記憶媒体上に実装されたコンピュータプログラム製品の形態を使用してもよい。
【０１４１】
本出願は、本出願の実施形態による方法、機器（システム）、およびコンピュータプログラム製品の流れ図および／またはブロック図を参照して説明されている。コンピュータプログラム命令は、流れ図および／またはブロック図内の各プロセスおよび／または各ブロック、ならびに流れ図および／またはブロック図内のプロセスおよび／またはブロックの組み合わせを実現するために使用され得ることを理解されたい。これらのコンピュータプログラム命令は、汎用コンピュータ、専用コンピュータ、組み込みプロセッサ、または任意の他のプログラマブルデータ処理デバイスのプロセッサがマシンを生成するために提供され得るものであるので、これらの命令がコンピュータまたは任意の他のプログラマブルデータ処理デバイスのプロセッサによって実行されることにより、流れ図内の1もしくは複数のプロセスおよび／またはブロック図内の1もしくは複数のブロックにおける特定の機能を実現するための装置が生成される。
【０１４２】
これらのコンピュータプログラム命令はあるいは、コンピュータまたは任意の他のプログラマブルデータ処理デバイスに特定の方法で動作するよう命令することができるコンピュータ可読メモリに格納され得るので、コンピュータ可読メモリに格納された命令は命令装置を含む製品を生成する。命令装置は、流れ図内の1もしくは複数のプロセスおよび／またはブロック図内の1もしくは複数のブロックにおける特定の機能を実現する。
【０１４３】
これらのコンピュータプログラム命令は、コンピュータまたは他のプログラマブルデータ処理デバイスにロードされ得るので、一連の動作およびステップがコンピュータまたは他のプログラマブルデバイス上で行われ、それによってコンピュータ実装処理が生成される。したがって、命令がコンピュータまたは他のプログラマブルデバイス上で実行されることにより、流れ図内の1もしくは複数のプロセスおよび／またはブロック図内の1もしくは複数のブロックにおける特定の機能を実現するためのステップが提供される。
【０１４４】
当業者が、本発明の実施形態の趣旨および範囲を逸脱することなく本出願の実施形態に様々な改変および変形を加えることができることは自明である。本発明は、これらの改変および変形が添付の特許請求の範囲および添付の特許請求の範囲と均等な技術によって定義される保護の範囲内に含まれるという条件で、これらの改変および変形を包含すべきものである。
【符号の説明】
【０１４５】
51  第1のプロセッサ
52  第1の送受信機
61  第2の送受信機
62  第2のプロセッサ
71  第3のプロセッサ
72  第3の送受信機
81  第4の送受信機
82  第4のプロセッサ
【図１】
2020503774.tif 000004
【図２】
2020503774.tif 000005
【図３】
2020503774.tif 000006
【図４】
2020503774.tif 000007
【図５】
2020503774.tif 000008
【図６】
2020503774.tif 000009
【図７】
2020503774.tif 000010
【図８】
2020503774.tif 000011
【手続補正書】
【提出日】令和1年8月5日(2019.8.5)
【手続補正１】
【補正対象書類名】明細書
【補正対象項目名】０００１
【補正方法】変更
【補正の内容】
【０００１】
本出願は、参照によりその全体が本明細書に組み入れられる、2016年12月28日付で出願された、「METHOD AND DEVICE FOR TRANSMITTING MEASUREMENT PILOT SIGNAL」という名称の中国特許出願第201611239759．0号の優先権を主張するものである。
【手続補正２】
【補正対象書類名】明細書
【補正対象項目名】００５７
【補正方法】変更
【補正の内容】
【００５７】
2．本出願の実施形態は上り測定パイロット信号伝送に適用され得る。具体的な適用シナリオは以下のとおりである。既存のLTEシステムにおいて、端末は通常、上りチャネルの状態情報の推定のための上り測定パイロット信号（例えば、LTE Release10のSRS）を送信する。既存のLTEシステムでは、端末によって送信される上り測定パイロット信号は全帯域幅または部分帯域幅で伝送される。上り測定パイロット信号が全帯域幅で伝送される場合、上り測定パイロット信号は全システム帯域幅によって占有されるすべてのPRBに埋め込まれる。この方法は、将来の5Gシステムにおけるシステム帯域幅の一部のPRBで上り測定パイロット信号を伝送することに対する要件を満たすことができる。上り測定パイロット信号が部分帯域幅で伝送される場合、上り測定パイロット信号が全システム帯域幅の連続した固定されたPRBで伝送されることが、通常は、基地局と端末とによって事前に同意される。このようにして、上り測定パイロット信号は不連続のPRBでは伝送され得ない。
【手続補正３】
【補正対象書類名】特許請求の範囲
【補正対象項目名】全文
【補正方法】変更
【補正の内容】
【特許請求の範囲】
【請求項１】
測定パイロット信号を伝送するための方法であって、
第1の機器がシステム帯域幅に含まれる複数のサブバンドから、測定パイロット信号を伝送するために使用される第1のサブバンドを決定するステップであって、1つのサブバンドが少なくとも1つの物理リソースブロックを含む、前記ステップと、
前記第1の機器が、前記第1のサブバンドの識別子情報を第2の機器に送信するステップと、
前記第1の機器が、前記第1のサブバンドに対応する少なくとも1つの物理リソースブロック中の、前記測定パイロット信号を前記第2の機器に送信するステップと、
を含む、方法。
【請求項２】
前記システム帯域幅がN個のサブバンドを含み、前記第1のサブバンドの前記識別子情報はNビットのデータを含み、前記Nビットのデータの配列順序が前記N個のサブバンドの配列順序に対応しており、
前記第1のサブバンドに対応するデータビットが第1の識別子に設定され、前記第1のサブバンドを除く前記N個のサブバンド内の各サブバンドに対応するデータビットが第2の識別子に設定され、前記第1の識別子が前記測定パイロット信号を伝送するために使用されるサブバンドを表し、前記第2の識別子が前記測定パイロット信号を伝送するために使用されないサブバンドを表し、Nが自然数であり、または
前記第1の機器が、前記第1のサブバンドの識別子情報を第2の機器に送信する前記ステップの前に、前記方法が、前記第1の機器が、前記システム帯域幅に含まれる前記複数のサブバンドを複数のサブバンドセットに分割するステップであって、1つのサブバンドセットが少なくとも1つのサブバンドを含む、前記ステップ、をさらに含み、
前記第1のサブバンドの前記識別子情報が、前記第1のサブバンドが属するサブバンドセットの識別子情報と前記サブバンドセット内の前記第1のサブバンドのサブ識別子情報とを含み、または
前記第1の機器が複数の連続したサブバンドを使用して前記測定パイロット信号を送信する場合、前記第1のサブバンドの前記識別子情報が、前記複数の連続したサブバンド内の開始サブバンドの識別子情報と前記連続したサブバンドの数とに基づいて生成され、前記第1のサブバンドが前記複数の連続したサブバンドを含むものであり、または
前記システム帯域幅がN個のサブバンドを含み、前記第1のサブバンドが前記N個のサブバンド内のM番目のサブバンドであり、前記第1のサブバンドの前記識別子情報がMに対応する2進数である、請求項1に記載の方法。
【請求項３】
前記第1の機器が基地局であり、前記第2の機器がユーザ機器であり、前記測定パイロット信号が下り測定パイロット信号であり、または
前記第1の機器がユーザ機器であり、前記第2の機器が基地局であり、前記測定パイロット信号が上り測定パイロット信号である、請求項1または2に記載の方法。
【請求項４】
測定パイロット信号を受信するための方法であって、
第2の機器が、第1の機器によって送信された第1のサブバンドの識別子情報を受信するステップであって、前記第1のサブバンドが複数の物理リソースブロックを含み、各物理リソースブロックが測定パイロット信号を伝送するために使用される、前記ステップと、
前記第2の機器が前記第1のサブバンドの前記識別子情報に基づいて、前記測定パイロット信号を伝送するために使用される少なくとも1つの物理リソースブロックを決定するステップと、
前記第2の機器が前記決定された少なくとも1つの物理リソースブロックで、前記第1の機器によって送信された測定パイロット信号を受信するステップと、
を含む、方法。
【請求項５】
前記システム帯域幅がN個のサブバンドを含み、前記第1のサブバンドの前記識別子情報はNビットのデータを含み、前記Nビットのデータの配列順序が前記N個のサブバンドの配列順序に対応しており、
前記第1のサブバンドに対応するデータビットが第1の識別子情報に設定され、前記第1のサブバンドを除く前記N個のサブバンド内の各サブバンドに対応するデータビットが第2の識別子情報に設定され、前記第1の識別子情報が前記測定パイロット信号を伝送するために使用されるサブバンドを表し、前記第2の識別子情報が前記測定パイロット信号を伝送するために使用されないサブバンドを表し、Nが自然数であり、または
前記第1のサブバンドの前記識別子情報が、前記第1のサブバンドが属するサブバンドセットの識別子情報と前記サブバンドセット内の前記第1のサブバンドのサブ識別子情報とを含み、前記サブバンドセットが少なくとも前記第1のサブバンドを含み、または
前記測定パイロット信号が複数の連続したサブバンドで伝送される場合、前記第1のサブバンドの前記識別子情報が、前記複数の連続したサブバンド内の開始サブバンドの識別子情報と前記連続したサブバンドの数とに基づいて生成され、前記第1のサブバンドが前記複数の連続したサブバンドを含むものであり、または
前記システム帯域幅がN個のサブバンドを含み、前記第1のサブバンドが前記N個のサブバンド内のM番目のサブバンドであり、前記第1のサブバンドの前記識別子情報がMに対応する2進数である、請求項4に記載の方法。
【請求項６】
前記第1の機器が基地局であり、前記第2の機器がユーザ機器であり、前記測定パイロット信号が下り測定パイロット信号であり、または
前記第1の機器がユーザ機器であり、前記第2の機器が基地局であり、前記測定パイロット信号が上り測定パイロット信号である、請求項4または5に記載の方法。
【請求項７】
測定パイロット信号を伝送するための機器であって、
全システム帯域幅に含まれる複数のサブバンドから、測定パイロット信号を伝送するために使用される第1のサブバンドを決定する手段であって、1つのサブバンドが少なくとも1つの物理リソースブロックを含む、手段と、
前記第1のサブバンドの識別子情報を第2の機器に送信し、前記第1のサブバンドに対応する少なくとも1つの物理リソースブロック中の前記測定パイロット信号を前記第2の機器に送信する手段と、
を含む、機器。
【請求項８】
前記システム帯域幅がN個のサブバンドを含み、前記第1のサブバンドの前記識別子情報はNビットのデータを含み、前記Nビットのデータの配列順序が前記N個のサブバンドの配列順序に対応しており、
前記第1のサブバンドに対応するデータビットが第1の識別子情報に設定され、前記第1のサブバンドを除く前記N個のサブバンド内の各サブバンドに対応するデータビットが第2の識別子情報に設定され、前記第1の識別子情報が前記測定パイロット信号を伝送するために使用されるサブバンドを表し、前記第2の識別子情報が前記測定パイロット信号を伝送するために使用されないサブバンドを表し、Nが自然数であり、または
前記システム帯域幅に含まれる前記複数のサブバンドが事前に複数のサブバンドセットに分類され、1つのサブバンドセットが少なくとも1つのサブバンドを含み、前記第1のサブバンドの前記識別子情報が、前記第1のサブバンドが属するサブバンドセットの識別子情報と前記サブバンドセット内の前記第1のサブバンドのサブ識別子情報とを含み、または
前記測定パイロット信号が複数の連続したサブバンドを使用して伝送される場合、前記第1のサブバンドの前記識別子情報が、前記複数の連続したサブバンド内の開始サブバンドの識別子情報と前記連続したサブバンドの数とに基づいて生成され、前記第1のサブバンドが前記複数の連続したサブバンドを含むものであり、または
前記システム帯域幅がN個のサブバンドを含み、前記第1のサブバンドが前記N個のサブバンド内のM番目のサブバンドであり、前記第1のサブバンドの前記識別子情報がMに対応する2進数である、請求項7に記載の機器。
【請求項９】
前記測定パイロット信号が下り測定パイロット信号または上り測定パイロット信号である、請求項7または8に記載の機器。
【請求項１０】
測定パイロット信号を受信するための機器であって、
第1の機器によって送信された第1のサブバンドの識別子情報を受信し、決定された物理リソースブロックで前記測定パイロット信号を受信する手段であって、前記第1のサブバンドが複数の物理リソースブロックを含み、各物理リソースブロックが前記測定パイロット信号を伝送するために使用される、手段と、
前記第1のサブバンドの前記識別子情報に基づいて、前記測定パイロット信号を伝送するために使用される少なくとも1つの物理リソースブロックを決定する手段と、
を含む、機器。
【請求項１１】
前記システム帯域幅がN個のサブバンドを含み、前記第1のサブバンドの前記識別子情報はNビットのデータを含み、前記Nビットのデータの配列順序が前記N個のサブバンドの配列順序に対応しており、
前記第1のサブバンドに対応するデータビットが第1の識別子情報に設定され、前記第1のサブバンドを除く前記N個のサブバンド内の各サブバンドに対応するデータビットが第2の識別子情報に設定され、前記第1の識別子情報が前記測定パイロット信号を伝送するために使用されるサブバンドを表し、前記第2の識別子情報が前記測定パイロット信号を伝送するために使用されないサブバンドを表し、Nが自然数であり、または
前記第1のサブバンドの前記識別子情報が、前記第1のサブバンドが属するサブバンドセットの識別子情報と前記サブバンドセット内の前記第1のサブバンドのサブ識別子情報とを含み、前記サブバンドセットが少なくとも前記第1のサブバンドを含み、または
前記測定パイロット信号が複数の連続したサブバンドで伝送される場合、前記第1のサブバンドの前記識別子情報が、前記複数の連続したサブバンド内の開始サブバンドの識別子情報と前記連続したサブバンドの数とに基づいて生成され、前記第1のサブバンドが前記複数の連続したサブバンドを含むものであり、または
前記システム帯域幅がN個のサブバンドを含み、前記第1のサブバンドが前記N個のサブバンド内のM番目のサブバンドであり、前記第1のサブバンドの前記識別子情報がMに対応する2進数である、請求項10に記載の機器。
【請求項１２】
前記測定パイロット信号が下り測定パイロット信号または上り測定パイロット信号である、請求項10または11に記載の機器。
【請求項１３】
少なくとも1つの、請求項7から9のいずれか1項に記載の機器と、少なくとも1つの、請求項10から12のいずれか1項に記載の機器と、を備える、システム。
【請求項１４】
命令を備えたコンピュータプログラムであって、前記命令がコンピュータによって実行される場合、前記コンピュータに請求項1から3のいずれか1項、もしくは、請求項4から6のいずれか1項に記載の方法を行わせる、コンピュータプログラム。
【請求項１５】
コンピュータ読み出し可能な記憶媒体であって、前記読み出し可能な記憶媒体がプログラムを格納し、前記プログラムが実行される場合、請求項1から3のいずれか1項、もしくは、請求項4から6のいずれか1項に記載のステップである、記憶媒体。
【国際調査報告】
2020503774.tif 000012
2020503774.tif 000013
2020503774.tif 000014
2020503774.tif 000015